(57)【要約】バックライト装置（１２）は、並び方向の端側に配される複数の端側ＬＥＤ（１７Ｅ）と並び方向の中央側に配される中央側ＬＥＤ（１７Ｃ）とを含む複数のＬＥＤ（１７）と、並び方向に沿って延在して複数のＬＥＤ（１７）からの光が入射される入光端面（１９ｂ）と光を出射させる出光板面（１９ａ）とを有する導光板（１９）と、並び方向に沿って延在するとともに複数のＬＥＤ（１７）と入光端面（１９ｂ）との間に介在する形で配されて複数のＬＥＤ（１７）からの光を波長変換する蛍光体を有する波長変換部（２０）と、複数のＬＥＤ（１７）における単位時間当たりの発光量を制御するＬＥＤ制御部（３２）であって、少なくともいずれか１つの端側ＬＥＤ（１７Ｅ）に係る発光量が、中央側ＬＥＤ（１７Ｃ）に係る発光量よりも少なくなるよう制御するＬＥＤ制御部（３２）と、を備える。
2017051852.tif 000002
【特許請求の範囲】
【請求項１】
列状に並んで配されてその並び方向の端側に配される複数の端側光源と前記並び方向の中央側に配される中央側光源とを含む複数の光源と、  外周端面の少なくとも一部であって前記並び方向に沿って延在して複数の前記光源からの光が入射される入光端面と一対の板面のいずれかであって光を出射させる出光板面とを有する導光板と、  前記並び方向に沿って延在するとともに複数の前記光源と前記入光端面との間に介在する形で配されて複数の前記光源からの光を波長変換する蛍光体を有する波長変換部と、  複数の前記光源における単位時間当たりの発光量を制御する光源制御部であって、少なくともいずれか１つの前記端側光源に係る前記発光量が、前記中央側光源に係る前記発光量よりも少なくなるよう制御する光源制御部と、を備える照明装置。
【請求項２】
前記波長変換部は、その長さ方向についての一対の端側部分のうちの一方側が封止部が設けられた封止部設置端側部分とされるのに対し、他方側が前記封止部が設けられない封止部非設置端側部分とされており、  前記光源制御部は、前記波長変換部の前記封止部設置端側部分と対向状をなす前記端側光源に係る前記発光量が、前記波長変換部の前記封止部非設置端側部分と対向状をなす前記端側光源に係る前記発光量よりも少なくなるよう制御する請求項１記載の照明装置。
【請求項３】
前記波長変換部は、前記並び方向に沿って複数が列をなす形で並んで配されており、  前記光源制御部は、複数の前記波長変換部において互いに隣り合わない一対の端側部分と対向状をなす複数の前記端側光源に係る前記発光量が、前記中央側光源に係る前記発光量よりも少なくなるよう制御する請求項１または請求項２に記載の照明装置。
【請求項４】
前記光源制御部は、複数の前記光源にパルス信号を供給するとともに、複数の前記光源における点灯期間と消灯期間との時間比率を調整することで単位時間当たりの発光量を制御する請求項１から請求項３のいずれか１項に記載の照明装置。
【請求項５】
前記光源制御部は、複数の前記光源を定電流駆動するとともに、複数の前記光源に供給する電流値を異ならせることで単位時間当たりの発光量を制御する請求項１から請求項４のいずれか１項に記載の照明装置。
【請求項６】
所定の波長領域に含まれる一次光によって励起されて前記波長領域とは異なる他の波長領域に含まれる二次光を放出する第１の蛍光体を含有する第１の波長変換部と、前記第１の波長変換部を包囲する形で収容しつつ光透過性を有する長手状の収容部と、前記収容部の長手方向の端部からなる非波長変換部とを有する波長変換部材と、  前記波長変換部材と対向するように複数個の光源が列状に並んだものからなり、複数個の前記光源のうち、前記第１の波長変換部と対向し前記第１の波長変換部に向けて前記一次光を出射する基準色光源と、前記非波長変換部と対向し前記非波長変換部に向けて前記一次光と共に前記一次光が呈する基準色と補色の関係にある色を呈する補色光を出射する混色光源とを有する光源列と、  前記光源列との間に形成される隙間に前記波長変換部材が介在されるように配され、前記光源列を構成する各光源から出射された光が前記波長変換部材越しに入射される光入射面と、前記光入射面から入射された光が出射される光出射面とを備える導光板と、を備える照明装置。
【請求項７】
前記波長変換部材の前記第１の波長変換部は、前記第１の蛍光体が透明な樹脂中に分散されたものからなり、  前記波長変換部材の前記収容部は、両端が封止された筒体からなり、  前記波長変換部材の前記非波長変換部は、前記筒体の封止された端部からなる請求項６に記載の照明装置。
【請求項８】
前記混色光源は、部分的に前記非波長変換部と対向せず、前記光入射面と直接対向し、前記混色光源から出射される光の一部が、前記光入射面に直接入射される請求項６又は請求項７に記載の照明装置。
【請求項９】
前記混色光源は、一次光を出射する一次光光源と、前記一次光光源の光出射部を覆うように形成され、前記一次光を透過させると共に、前記一次光の一部によって励起されて前記二次光を放出する第２の蛍光体を含む第２の波長変換部とを有する請求項６から請求項８のいずれか１項に記載の照明装置。
【請求項１０】
請求項１から請求項９のいずれか１項に記載の照明装置と、前記照明装置から照射される光を利用して画像を表示する表示パネルと、を備える表示装置。
【請求項１１】
請求項１０記載の表示装置を備えるテレビ受信装置。
【発明の詳細な説明】
【技術分野】
【０００１】  本発明は、照明装置、表示装置及びテレビ受信装置に関する。
【背景技術】
【０００２】  従来の液晶表示装置に用いられるバックライトの一例として下記特許文献１に記載されたものが知られている。この特許文献１に記載されたバックライトである面状光源は、青色が発光可能なＬＥＤと、ＬＥＤの発光により励起されて蛍光を発する蛍光物質が具備された波長変換体と、ＬＥＤと波長変換体を介して設けられＬＥＤからの発光と蛍光物質からの発光とを合成した発光を端面より導入し発光観測面側から放出する導光板からなる。【０００３】  また、特許文献２に記載されたバックライトでは、ＬＥＤと、光が入射される導光板の端面（光入射面）との間に長手状の蛍光体チューブが配される構成となっている。ＬＥＤから出射された一次光（例えば、青色光）が蛍光体チューブに供給されると、その光の一部が蛍光体チューブ内の量子ドット蛍光体を励起し、残りの光が蛍光体チューブ中を透過することになる。量子ドット蛍光体が一次光によって励起されると、その量子ドット蛍光体からは、一次光とは異なった波長の二次光（例えば、緑色光及び赤色光）が放出される。つまり、量子ドット蛍光体は、一次光を二次光に波長変換する機能を備えている。蛍光体チューブから放出された二次光は、蛍光体チューブを透過する一次光と互いに混ざり合うため、結果的に、蛍光体チューブからは、白色光が出射される。
【先行技術文献】
【特許文献】
【０００４】
【特許文献１】特許第３１１４８０５号公報
【特許文献２】特開２０１４−２２５３７９号公報
【０００５】（発明が解決しようとする課題）  上記した特許文献１に記載されたような波長変換体は、導光板の端面の長さ方向に沿って延在しているが、その長さ方向の端縁には蛍光物質が配置されない領域が生じるものとされる。ここで、バックライトの狭額縁化が進行すると、波長変換体における蛍光物質が配置されない領域がＬＥＤと重なり合う位置関係となり易く、それに起因してＬＥＤからの光が蛍光体により波長変換されずに導光板の端面における長さ方向の端側部分に入射してしまい、色ムラが発生することが懸念されていた。【０００６】  また、特許文献２においても、蛍光体チューブの長手方向の端部は、量子ドット蛍光体を含んでいない光透過性を有する材質（例えば、ガラス）のみからなる。そのため、蛍光体チューブの端部に、ＬＥＤから一次光が供給されると、その一次光は波長変換されずにそのまま端部を透過することになる。つまり、蛍光体チューブの端部からは、一次光の存在比率の高い光が、導光板側へ出射されることになる。すると、その光は、光入射面から導光板内に入射し、更に導光板内を伝播しながら導光板の表側の板面から出射される。このように、一次光の存在比率の高い光が、導光板内を伝播しながら導光板から出射されると、照明装置から出射される面状の光において、蛍光体チューブの端部から、ＬＥＤの光出射方向に沿って導光板内を直線的に延びた範囲から出射される光が、その他の範囲から出射される光よりも、光源の一次光の色彩で色付くことがあった。
【発明の概要】
【０００７】  本発明は上記のような事情に基づいて完成されたものであって、色ムラの発生を抑制することを目的とする。
【０００８】（課題を解決するための手段）  本発明の照明装置は、列状に並んで配されてその並び方向の端側に配される複数の端側光源と前記並び方向の中央側に配される中央側光源とを含む複数の光源と、外周端面の少なくとも一部であって前記並び方向に沿って延在して複数の前記光源からの光が入射される入光端面と一対の板面のいずれかであって光を出射させる出光板面とを有する導光板と、前記並び方向に沿って延在するとともに複数の前記光源と前記入光端面との間に介在する形で配されて複数の前記光源からの光を波長変換する蛍光体を有する波長変換部と、複数の前記光源における単位時間当たりの発光量を制御する光源制御部であって、少なくともいずれか１つの前記端側光源に係る前記発光量が、前記中央側光源に係る前記発光量よりも少なくなるよう制御する光源制御部と、を備える。
【０００９】  このようにすれば、複数の光源から発せられた光は、複数の光源と入光端面との間に介在する形で配される波長変換部に有される蛍光体にて波長変換されるなどしてから導光板の入光端面に入射されて導光板内を伝播された後に出光板面から出射される。この波長変換部は、複数の光源の並び方向に沿って延在しているが、その長さ方向の端縁には蛍光体が配置されない領域が生じるものとされる。ここで、当該照明装置の狭額縁化が進行すると、波長変換部における蛍光体が配置されない領域が端側光源と重なり合う位置関係となり易く、それに起因して端側光源からの光が蛍光体により波長変換されずに導光板の入光端面における長さ方向の端側部分に入射することが懸念されていた。これに対し、複数の光源は、光源制御部によってそれぞれの単位時間当たりの発光量が制御されており、少なくともいずれか１つの端側光源は、中央側光源に比べると、単位時間当たりの発光量が相対的に少なくなるよう光源制御部により制御されているので、端側光源から波長変換部における長さ方向の端側部分に供給される光量が、中央側光源から長さ方向の中央側部分に供給される光量よりも少ないものとなる。従って、波長変換部における長さ方向の端縁に蛍光体が配置されない領域が生じ、その領域が端側光源と重なり合うような位置関係になっても、波長変換部における長さ方向の端側部分に端側光源から供給される光量が少なくされることで、蛍光体により波長変換されずに導光板の入光端面に入射される光量も少なくなる。これにより、導光板の入光端面における長さ方向の端側部分に入射される光の色味と、入光端面における長さ方向の中央側部分に入射される光の色味と、に差が生じ難くなるので、狭額縁化が進行しても出光板面から出射される光に色ムラが発生し難いものとなる。
【００１０】  また、本発明の照明装置は、その異なる態様として、所定の波長領域に含まれる一次光によって励起されて前記波長領域とは異なる他の波長領域に含まれる二次光を放出する第１の蛍光体を含有する第１の波長変換部と、前記第１の波長変換部を包囲する形で収容しつつ光透過性を有する長手状の収容部と、前記収容部の長手方向の端部からなる非波長変換部とを有する波長変換部材と、前記波長変換部材と対向するように複数個の光源が列状に並んだものからなり、複数個の前記光源のうち、前記第１の波長変換部と対向し前記第１の波長変換部に向けて前記一次光を出射する基準色光源と、前記非波長変換部と対向し前記非波長変換部に向けて前記一次光と共に前記一次光が呈する基準色と補色の関係にある色を呈する補色光を出射する混色光源とを有する光源列と、前記光源列との間に形成される隙間に前記波長変換部材が介在されるように配され、前記光源列を構成する各光源から出射された光が前記波長変換部材越しに入射される光入射面と、前記光入射面から入射された光が出射される光出射面とを備える導光板と、を備える。  上記構成を備えることにより、波長変換部材の端部から、光源の光出射方向に沿って直線的に延びた範囲から出射される光が、その他の範囲から出射される光よりも、光源の一次光の色彩で色付くことが抑制される。
【００１１】  上記課題を解決するために、本発明の表示装置は、上記記載のいずれかの照明装置と、前記照明装置から照射される光を利用して画像を表示する表示パネルと、を備える。このような構成の表示装置によれば、照明装置からの光に色ムラが生じ難いものとなっているから、表示品位に優れた表示を実現することができる。
【００１２】  上記課題を解決するために、本発明のテレビ受信装置は、上記記載の表示装置を備える。このようなテレビ受信装置によれば、表示装置の表示品位が優れたものとされているから、表示品位に優れたテレビ画像の表示を実現することができる。
【００１３】（発明の効果）  本発明によれば、色ムラの発生を抑制することができる。
【図面の簡単な説明】
【００１４】
【図１】本発明の実施形態１に係るテレビ受信装置の概略構成を示す分解斜視図
【図２】テレビ受信装置が備える液晶表示装置の概略構成を示す分解斜視図
【図３】液晶表示装置が備えるバックライト装置を構成するシャーシ、ＬＥＤ基板及び導光板の平面図
【図４】液晶表示装置を短辺方向に沿って切断した断面構成を示す断面図
【図５】液晶表示装置を長辺方向に沿って切断した断面構成を示す断面図
【図６】ＬＥＤ及びＬＥＤ基板の断面図
【図７】図４の拡大図
【図８】図４のviii-viii線断面図
【図９】図８の拡大図
【図１０】各ＬＥＤを駆動するための回路構成を示す回路図
【図１１】各ＬＥＤの点灯期間及び消灯期間を表すグラフ
【図１２】本発明の実施形態２に係るバックライト装置の拡大平断面図
【図１３】各ＬＥＤを駆動するための回路構成を示す回路図
【図１４】各ＬＥＤの点灯期間及び消灯期間を表すグラフ
【図１５】本発明の実施形態３に係るバックライト装置の拡大平断面図
【図１６】各ＬＥＤを駆動するための回路構成を示す回路図
【図１７】本発明の実施形態４に係るバックライト装置の拡大平断面図
【図１８】各ＬＥＤを駆動するための回路構成を示す回路図
【図１９】本発明の実施形態５に係る各ＬＥＤの点灯期間及び消灯期間を表すグラフ
【図２０】本発明の実施形態６に係るバックライト装置の拡大側断面図
【図２１】ホルダの正面図
【図２２】ホルダの背面図
【図２３】本発明の実施形態７に係るバックライト装置の平断面図
【図２４】本発明の実施形態８に係るバックライト装置の平断面図
【図２５】本発明の実施形態９に係るバックライト装置の平断面図
【図２６】本発明の実施形態１０に係るバックライト装置の拡大平断面図
【図２７】本発明の実施形態１１に係る液晶表示装置を短辺方向に沿って切断した断面構成を示す断面図
【図２８】実施形態１１において、表面側から見た状態のＬＥＤ列、蛍光体チューブ及び導光板の配置関係を模式的に表した平面図
【図２９】実施形態１１において、蛍光体チューブの平面図
【図３０】実施形態１１において、青色光を出射するＬＥＤ付近における液晶表示装置の拡大断面図
【図３１】実施形態１１において、白色光を出射するＬＥＤ付近における液晶表示装置の拡大断面図
【図３２】実施形態１１において、裏面側から見た状態のＬＥＤ列、蛍光体チューブ及び導光板の配置関係を模式的に表した平面図
【図３３】実施形態１２の照明装置で利用されるＬＥＤ列、蛍光体チューブ及び導光板の配置関係を模式的に表した平面図
【図３４】実施形態１３に係る液晶表示装置の光入射面付近の拡大断面図
【図３５】ホルダの正面図
【発明を実施するための形態】
【００１５】  ＜実施形態１＞  本発明の実施形態１を図１から図１１によって説明する。本実施形態では、バックライト装置１２、それを用いた液晶表示装置１０及びテレビ受信装置１０ＴＶについて例示する。また、本実施形態では、バックライト装置１２に備えられる波長変換部２０の製造方法についても例示する。なお、各図面の一部にはＸ軸、Ｙ軸及びＺ軸を示しており、各軸方向が各図面で示した方向となるように描かれている。また、図４及び図５などに示す上側を表側とし、同図下側を裏側とする。
【００１６】  本実施形態に係るテレビ受信装置１０ＴＶは、図１に示すように、液晶表示装置１０と、当該液晶表示装置１０を挟むようにして収容する表裏両キャビネット１０Ｃａ，１０Ｃｂと、電源１０Ｐと、テレビ信号を受信するチューナー（受信部）１０Ｔと、スタンド１０Ｓと、を備えて構成される。液晶表示装置（表示装置）１０は、全体として横長（長手）の方形状（矩形状）をなし、縦置き状態で収容されている。この液晶表示装置１０は、図２に示すように、画像を表示する表示パネルである液晶パネル１１と、液晶パネル１１に表示のための光を供給する外部光源であるバックライト装置（照明装置）１２と、を備え、これらが枠状のベゼル１３などにより一体的に保持されるようになっている。
【００１７】  次に、液晶表示装置１０を構成する液晶パネル１１及びバックライト装置１２について順次に説明する。このうち、液晶パネル（表示パネル）１１は、平面に視て横長な方形状をなしており、一対のガラス基板が所定のギャップを隔てた状態で貼り合わせられるとともに、両ガラス基板間に電界印加に伴って光学特性が変化する物質である液晶分子を含む液晶層（図示せず）が封入された構成とされる。一方のガラス基板（アレイ基板、アクティブマトリクス基板）の内面側には、互いに直交するソース配線とゲート配線とに接続されたスイッチング素子（例えばＴＦＴ）と、ソース配線とゲート配線とに囲まれた方形状の領域に配されてスイッチング素子に接続される画素電極と、がマトリクス状に平面配置される他、配向膜等が設けられている。他方のガラス基板（対向基板、ＣＦ基板）の内面側には、Ｒ（赤色），Ｇ（緑色），Ｂ（青色）等の各着色部が所定配列でマトリクス状に平面配置されたカラーフィルタが設けられる他、各着色部間に配されて格子状をなす遮光層（ブラックマトリクス）、画素電極と対向状をなすベタ状の対向電極、配向膜等が設けられている。なお、両ガラス基板の外面側には、それぞれ偏光板が配されている。また、液晶パネル１１における長辺方向がＸ軸方向と一致し、短辺方向がＹ軸方向と一致し、さらに厚さ方向がＺ軸方向と一致している。
【００１８】  バックライト装置１２は、図２に示すように、表側（液晶パネル１１側、出光側）の外部に向けて開口する光出射部１４ｂを有した略箱型をなすシャーシ１４と、シャーシ１４の光出射部１４ｂを覆う形で配される複数の光学部材（光学シート）１５と、を備える。さらに、シャーシ１４内には、光源であるＬＥＤ１７と、ＬＥＤ１７が実装されたＬＥＤ基板１８と、ＬＥＤ１７からの光を導光して光学部材１５（液晶パネル１１）へと導く導光板１９と、ＬＥＤ１７と導光板１９との間に介在する形で配されてＬＥＤ１７からの光を波長変換する波長変換部２０と、導光板１９などを表側から押さえるとともに光学部材１５を裏側から受けるフレーム１６と、が備えられる。そして、このバックライト装置１２は、その長辺側の一対の端部のうちの一方（図２及び図３に示す手前側、図４に示す左側）の端部に、ＬＥＤ基板１８が配されており、そのＬＥＤ基板１８に実装された各ＬＥＤ１７が液晶パネル１１における長辺側の一端部寄りに偏在していることになる。このように、本実施形態に係るバックライト装置１２は、ＬＥＤ１７の光が導光板１９に対して片側からのみ入光される片側入光タイプのエッジライト型（サイドライト型）とされている。続いて、バックライト装置１２の各構成部品について詳しく説明する。
【００１９】  シャーシ１４は、金属製とされ、図２及び図３に示すように、液晶パネル１１と同様に横長の方形状をなす底部１４ａと、底部１４ａの各辺の外端からそれぞれ立ち上がる側部１４ｃと、からなり、全体としては表側に向けて開口した浅い略箱型をなしている。シャーシ１４（底部１４ａ）は、その長辺方向がＸ軸方向（水平方向）と一致し、短辺方向がＹ軸方向（鉛直方向）と一致している。また、側部１４ｃには、フレーム１６及びベゼル１３が固定可能とされる。
【００２０】  光学部材１５は、図２に示すように、液晶パネル１１及びシャーシ１４と同様に平面に視て横長の方形状をなしている。光学部材１５は、シャーシ１４の光出射部１４ｂを覆うとともに、液晶パネル１１と導光板１９との間に介在する形で配されている。つまり、光学部材１５は、ＬＥＤ１７に対して出光経路の出口側に配されている、と言える。光学部材１５は、シート状をなしていて合計で３枚が備えられている。具体的には、光学部材１５は、光に等方性集光作用を付与するマイクロレンズシート２１と、光に異方性集光作用を付与するプリズムシート２２と、光を偏光反射する反射型偏光シート２３と、から構成される。光学部材１５は、図４及び図５に示すように、裏側からマイクロレンズシート２１、プリズムシート２２、及び反射型偏光シート２３の順で相互に積層されてそれらの外縁部がフレーム１６に対してその表側に載せられている。つまり、光学部材１５を構成するマイクロレンズシート２１、プリズムシート２２、及び反射型偏光シート２３は、導光板１９に対して表側、つまり光出射側にフレーム１６（詳しくは後述する枠状部１６ａ）分の間隔を空けて対向状をなしている。
【００２１】  フレーム１６は、図２に示すように、導光板１９及び光学部材１５の外周縁部に沿って延在する横長の枠状部（額縁状部、枠状支持部）１６ａを有しており、その枠状部１６ａにより導光板１９の外周縁部をほぼ全周にわたって表側から押さえて支持するものとされる。フレーム１６の枠状部１６ａは、光学部材１５（マイクロレンズシート２１）と導光板１９との間に介在するとともに、光学部材１５の外周縁部を裏側から受けて支持するものとされ、それにより光学部材１５が導光板１９との間に枠状部１６ａ分の間隔を空けた位置に保たれる。また、フレーム１６の枠状部１６ａにおける裏側（導光板１９側）の面には、例えばポロン（登録商標）などからなる緩衝材２４が設けられている。緩衝材２４は、枠状部１６ａの全周にわたって延在するよう枠状をなしている。さらには、フレーム１６は、枠状部１６ａから表側に向けて突出するとともに、液晶パネル１１における外周縁部を裏側から支持する液晶パネル支持部１６ｂを有している。
【００２２】  次に、ＬＥＤ１７及びＬＥＤ１７が実装されるＬＥＤ基板１８について説明する。ＬＥＤ１７は、図３及び図４に示すように、ＬＥＤ基板１８上に表面実装されるとともにその発光面１７ａがＬＥＤ基板１８側とは反対側を向いた、いわゆる頂面発光型とされている。このＬＥＤ１７は、青色の単色光を発する青色ＬＥＤとされている。そして、ＬＥＤ１７から発せられた青色の光は、その一部が詳しくは後述する波長変換部２０によって緑色の光や赤色の光に波長変換されるようになっており、これら波長変換された緑色の光及び赤色の光（二次光）と、ＬＥＤ１７の青色の光（一次光）と、の加法混色によりバックライト装置１２の出射光が概ね白色を呈するものとされる。
【００２３】  詳しくは、ＬＥＤ１７は、図６に示すように、発光源である青色ＬＥＤ素子（青色発光素子、青色ＬＥＤチップ）２６と、青色ＬＥＤ素子２６を封止する封止材２７と、青色ＬＥＤ素子２６が収容されるとともに封止材２７が充填されるケース（収容体、筐体）２８と、を備える。青色ＬＥＤ素子２６は、例えばＩｎＧａＮなどの半導体材料からなる半導体であり、順方向に電圧が印加されることで青色の波長領域（約４２０ｎｍ〜約５００ｎｍ）に含まれる波長の青色の単色光を発光するものとされる。つまり、ＬＥＤ１７の発光光は、この青色ＬＥＤ素子２６の発光光と同色の単色光とされる。この青色ＬＥＤ素子２６は、図示しないリードフレームによってケース２８外に配されたＬＥＤ基板１８における配線パターンに接続される。封止材２７は、ＬＥＤ１７の製造工程では青色ＬＥＤ素子２６が収容されたケース２８の内部空間に充填されることで、青色ＬＥＤ素子２６及びリードフレームを封止するとともにこれらの保護を図るものとされる。封止材２７は、ほぼ透明な熱硬化性樹脂材料（例えば、エポキシ樹脂材料、シリコーン樹脂材料など）からなるものとされ、それにより青色ＬＥＤ素子２６から発せられた青色の単色光がそのままＬＥＤ１７の発光光となるものとされる。ケース２８は、表面が光の反射性に優れた白色を呈する合成樹脂材料（例えばポリアミド系樹脂材料）またはセラミック材料からなる。ケース２８は、全体として発光面１７ａ側が開口した有底筒型をなしており、その底面に青色ＬＥＤ素子２６が配置されるとともに、周壁を上記リードフレームが貫通されることで青色ＬＥＤ素子２６がＬＥＤ基板１８の配線パターンに接続されている。
【００２４】  ＬＥＤ基板１８は、図３及び図４に示すように、シャーシ１４の長辺方向（Ｘ軸方向、導光板１９における入光端面１９ｂの長手方向）に沿って延在する細長い板状をなすとともに、その板面をＸ軸方向及びＺ軸方向に並行した姿勢、つまり液晶パネル１１及び導光板１９（光学部材１５）の板面と直交させた姿勢でシャーシ１４内に収容されている。すなわち、このＬＥＤ基板１８は、板面における長辺方向（長さ方向）がＸ軸方向と、短辺方向（幅方向）がＺ軸方向と、それぞれ一致し、さらには板面と直交する板厚方向がＹ軸方向と一致した姿勢とされる。ＬＥＤ基板１８は、導光板１９とシャーシ１４における一方の長辺側の側部１４ｃとの間に介在するよう配され、シャーシ１４に対してはＺ軸方向に沿って表側から収容されるようになっている。ＬＥＤ基板１８は、ＬＥＤ１７が実装される実装面１８ａとは反対側の板面がシャーシ１４における長辺側の側部１４ｃの内面に接する形でそれぞれ取り付けられている。従って、ＬＥＤ基板１８に実装された各ＬＥＤ１７の発光面１７ａが、後述する導光板１９の長辺側の端面（入光端面１９ｂ）と対向状をなすとともに、各ＬＥＤ１７における光軸、つまり発光強度が最も高い光の進行方向がＹ軸方向（液晶パネル１１の板面に並行する方向、ＬＥＤ１７と導光板１９との並び方向、入光端面１９ｂの法線方向）とほぼ一致する。
【００２５】  ＬＥＤ基板１８は、図３及び図４に示すように、その内側、つまり導光板１９側を向いた板面（導光板１９との対向面）が、上記した構成のＬＥＤ１７が表面実装された実装面１８ａとされる。ＬＥＤ１７は、ＬＥＤ基板１８の実装面１８ａにおいて、その長さ方向（Ｘ軸方向）に沿って複数が所定の間隔を空けつつ一列に（直線的に）並んで配置されている。つまり、ＬＥＤ１７は、バックライト装置１２における一方の長辺側の端部において長辺方向（入光端面１９ｂの長さ方向）に沿って複数が間欠的に並んで配置されている、と言える。従って、ＬＥＤ１７の並び方向は、ＬＥＤ基板１８の長さ方向（入光端面１９ｂの長さ方向）と一致していることになる。Ｘ軸方向について隣り合うＬＥＤ１７間の間隔、つまりＬＥＤ１７の配列間隔（配列ピッチ）は、ほぼ等しいものとされており、別言するとＬＥＤ１７は等ピッチ配列されている、と言える。ＬＥＤ基板１８におけるＬＥＤ１７のＸ軸方向についての寸法は、ＬＥＤ１７の配列間隔よりも大きなものとされ、具体的には例えば５ｍｍ〜１０ｍｍ程度とされる。また、ＬＥＤ基板１８の実装面１８ａには、Ｘ軸方向に沿って延在するとともにＬＥＤ１７群を横切って隣り合うＬＥＤ１７同士を直列に接続する、金属膜（銅箔など）からなる配線パターン（図示せず）が形成されている。ＬＥＤ基板１８には、上記配線パターンの端部に図示しない端子部が形成されており、この端子部に対して図示しない配線部材を介してＬＥＤ駆動基板（光源駆動基板、光源制御基板）ＬＤＢから駆動電力が供給されるようになっている（図１０を参照）。なお、ＬＥＤ１７を駆動するための回路構成に関しては、後に改めて説明する。このＬＥＤ基板１８は、板面の片面のみが実装面１８ａとされる片面実装タイプとされている。このＬＥＤ基板１８の基材は、例えばアルミニウムなどの金属製とされ、その表面に絶縁層を介して既述した配線パターン（図示せず）が形成されている。なお、ＬＥＤ基板１８の基材に用いる材料としては、合成樹脂やセラミックなどの絶縁材料を用いることも可能である。
【００２６】  導光板１９は、ほぼ透明で透光性に優れた合成樹脂材料（例えばＰＭＭＡなどのアクリル樹脂材料など）からなり、その屈折率が例えば１．４９程度と、空気の屈折率よりも十分に高いものとされる。導光板１９は、図２及び図３に示すように、液晶パネル１１及びシャーシ１４と同様に平面に視て横長の方形状をなすとともに光学部材１５よりも厚みが大きな板状をなしており、その板面における長辺方向がＸ軸方向と、短辺方向がＹ軸方向とそれぞれ一致し、且つ板面と直交する板厚方向がＺ軸方向と一致している。導光板１９は、図４及び図５に示すように、シャーシ１４内において液晶パネル１１及び光学部材１５の直下位置に配されており、その外周端面のうちの一方（図２及び図３に示す手前側、図４に示す左側）の長辺側の端面がシャーシ１４における長辺側の一端部に配されたＬＥＤ基板１８の各ＬＥＤ１７とそれぞれ対向状をなしている。従って、ＬＥＤ１７（ＬＥＤ基板１８）と導光板１９との並び方向がＹ軸方向と一致するのに対して、光学部材１５（液晶パネル１１）と導光板１９との並び方向がＺ軸方向と一致しており、両並び方向が互いに直交するものとされる。そして、導光板１９は、ＬＥＤ１７からＹ軸方向に向けて発せられた光を導入するとともに、その光を内部で伝播させつつ光学部材１５側（表側）へ向くよう立ち上げて出射させる機能を有する。導光板１９の厚み（Ｚ軸方向についての寸法）は、ＬＥＤ１７の高さ寸法（Ｚ軸方向についての寸法）よりも大きなものとされる。
【００２７】  導光板１９における一対の板面のうちの表側の板面が、図４及び図５に示すように、内部の光を光学部材１５及び液晶パネル１１に向けて出射させる出光板面（光出射面）１９ａとなっている。導光板１９における板面に対して隣り合う外周端面は、その周方向であるＸ軸方向（ＬＥＤ１７の並び方向、ＬＥＤ基板１８の長辺方向、導光板１９の長辺方向）に沿って長手状をなす一対の長辺側の端面と、同じく周方向であるＹ軸方向（ＬＥＤ１７と導光板１９との並び方向、ＬＥＤ基板１８の板厚方向、導光板１９の短辺方向）に沿って長手状をなす一対の短辺側の端面と、から構成される。導光板１９の外周端面を構成する一対の長辺側の端面のうち、一方（図２及び図３に示す手前側）の長辺側の端面は、ＬＥＤ１７（ＬＥＤ基板１８）と所定の空間（後述する波長変換部２０の配置スペース）を空けて対向状をなしており、これがＬＥＤ１７から発せられた光が後述する波長変換部２０を介して入射される入光端面（光入射面）１９ｂとなっている。この入光端面１９ｂは、ＬＥＤ１７と対向状をなしていることから、「ＬＥＤ対向端面（光源対向端面）」であるとも言える。入光端面１９ｂは、その長さ方向（長辺方向）がＸ軸方向と、幅方向（短辺方向）がＺ軸方向と、法線方向がＹ軸方向と、それぞれ一致しており、出光板面１９ａに対して略直交する面とされる。これに対して、導光板１９の上記外周端面のうち、入光端面１９ｂを除いた部分（他方の長辺側の端面及び一対の短辺側の端面）が、ＬＥＤ１７から発せられた光が直接的に入射されることがない非入光端面１９ｄとされる。この非入光端面１９ｄは、ＬＥＤ１７と対向状をなしていないことから、「ＬＥＤ非対向端面（光源非対向端面）」であるとも言える。非入光端面１９ｄは、導光板１９の上記外周端面における一対の長辺側の端面のうちの他方の端面、つまり上記した入光端面１９ｂとは反対側の端面から構成される非入光反対端面１９ｄ１と、入光端面１９ｂ及び非入光反対端面１９ｄ１に対して隣り合う一対の短辺側の端面から構成される一対の非入光側端面１９ｄ２と、からなる。なお、本実施形態では、ＬＥＤ非対向端面のことを「非入光端面１９ｄ」として説明しているが、光が全く入射しないことまでを意味するものではなく、例えば非入光端面１９ｄから一旦外側に漏れ出した光が例えばシャーシ１４の側部１４ｃによって反射されて戻された場合にはその戻される光が非入光端面１９ｄに入射することもあり得る。
【００２８】  導光板１９における裏側、つまり出光板面１９ａとは反対側の反対板面１９ｃに対しては、図４及び図５に示すように、反射シート（反射部材）２５が裏側に重なる形で配されている。反射シート２５は、表面が光の反射性に優れた白色を呈する合成樹脂製（例えば発泡ＰＥＴ製）とされていて、導光板１９内を伝播して反対板面１９ｃに達した光を反射することでその光を表側、つまり出光板面１９ａへ向かうよう立ち上げるものとされる。反射シート２５は、導光板１９の反対板面１９ｃをほぼ全域にわたって覆う形で配されている。反射シート２５は、平面に視てＬＥＤ基板１８（ＬＥＤ１７）と重畳する範囲にまで拡張されてその拡張部分と表側のフレーム１６の枠状部１６ａとの間でＬＥＤ基板１８（ＬＥＤ１７）を挟み込む形で配されている。これにより、ＬＥＤ１７からの光を反射シート２５の拡張部分によって反射することで、入光端面１９ｂに対して効率的に入射させることができる。この導光板１９の反対板面１９ｃには、導光板１９内の光を出光板面１９ａに向けて反射させることで出光板面１９ａから出射を促すための光反射部からなる光反射パターン（図示せず）が形成されている。この光反射パターンを構成する光反射部は、多数の光反射ドットからなるものとされており、その分布密度が入光端面１９ｂ（ＬＥＤ１７）からの距離に応じて変化するものとされる。具体的には、光反射部を構成する光反射ドットの分布密度は、Ｙ軸方向について入光端面１９ｂから遠ざかるほど（非入光反対端面１９ｄ１に近づくほど）高くなり、逆に入光端面１９ｂに近づくほど（非入光反対端面１９ｄ１から遠ざかるほど）低くなる傾向にあり、それにより出光板面１９ａからの出射光が面内において均一な分布となるよう制御されている。
【００２９】  波長変換部２０について詳しく説明する。波長変換部２０は、図７及び図８に示すように、ＬＥＤ１７から発せられた光（一次光）を他の波長の光（二次光）へと波長変換する蛍光体（波長変換物質）を有するとともにＬＥＤ１７と導光板１９の入光端面１９ｂとの間に介在する形で配されている。波長変換部２０は、図示しない保持手段によって上記した姿勢に保持されている。波長変換部２０は、導光板１９の入光端面１９ｂにおける長さ方向（Ｘ軸方向）に沿って延在し、入光端面１９ｂに対してほぼ全長にわたって対向状をなすとともにＬＥＤ基板１８に実装された全てのＬＥＤ１７に対して対向状をなす形で配されている。波長変換部２０は、その長さ方向（延在方向、Ｘ軸方向）と直交する方向に沿って切断した断面形状が縦長の略長円形状をなしており、長さ寸法（Ｘ軸方向についての寸法）が導光板１９の長辺寸法（入光端面１９ｂの長さ寸法）よりも大きく、高さ寸法（Ｚ軸方向についての寸法）が導光板１９の厚み寸法（入光端面１９ｂの幅寸法）よりも大きなものとされる。波長変換部２０は、Ｘ軸方向及びＺ軸方向に沿う両外面が共にほぼフラットな面とされており、各ＬＥＤ１７の発光面１７ａと対向する外面が同発光面１７ａに並行して同発光面１７ａからの光が入射される入光面２０ａとされるのに対し、導光板１９の入光端面１９ｂと対向する外面が同入光端面１９ｂに並行して同入光端面１９ｂに向けて光が出射される出光面２０ｂとされる。波長変換部２０は、その幅方向（Ｙ軸方向）について内端位置がフレーム１６の枠状部１６ａの内端位置よりも外側に配されている。つまり、波長変換部２０は、その全域がフレーム１６の枠状部１６ａと平面に視て重畳する配置とされているので、液晶表示装置１０の使用者に表側から波長変換部２０が直接視認されるなどといった事態が生じ難いものとされる。このような構成によれば、ＬＥＤ１７から発せられた光は、ＬＥＤ１７と導光板１９の入光端面１９ｂとの間に介在する形で配される波長変換部２０を透過する過程で波長変換されるなどしてから入光端面１９ｂに入射されて導光板１９内を伝播された後に出光板面１９ａから出射されることになる。波長変換部２０は、ＬＥＤ１７と導光板１９の入光端面１９ｂとの間に介在する形で配されているので、仮に波長変換部をシート状に形成して導光板１９の出光板面１９ａまたは反対板面１９ｃに重なる形で配した場合に比べると、蛍光体の使用量が少なく済み、もって製造コストを低下させる上で好適とされる。
【００３０】  そして、波長変換部２０は、図７及び図８に示すように、ＬＥＤ１７からの光を波長変換するための蛍光体（波長変換物質）を含有する蛍光体含有部２９と、入光端面１９ｂの長さ方向であるＸ軸方向に沿って延在して蛍光体含有部２９を収容する容器（キャピラリ）３０と、容器３０におけるＸ軸方向についての端側部分を封止する封止部３１と、を有している。蛍光体含有部２９には、ＬＥＤ１７からの青色の単色光を励起光として、赤色の光（赤色に属する特定の波長領域の可視光線）を発する赤色蛍光体と、緑色（緑色に属する特定の波長領域の可視光線）の光を発する緑色蛍光体と、が分散配合されている。これにより、波長変換部２０は、ＬＥＤ１７の発光光（青色の光、一次光）をその色味（青色）に対して補色となる色味（黄色）を呈する二次光（緑色の光及び赤色の光）に波長変換するものとされる。蛍光体含有部２９は、例えば液体状態の紫外線硬化性樹脂材料中に赤色蛍光体及び緑色蛍光体を分散配合して得た蛍光体溶液を容器３０内に注入した後に照射される紫外線によって硬化されてなるものとされる。
【００３１】  より詳しくは、蛍光体含有部２９に含有される各色の蛍光体は、いずれも励起光が青色の光とされており、次のような発光スペクトルを有している。すなわち、緑色蛍光体は、青色の光を励起光として、緑色に属する波長領域（約５００ｎｍ〜約５７０ｎｍ）の光、つまり緑色の光を蛍光光として発するものとされる。緑色蛍光体は、好ましくは、ピーク波長が緑色の光の波長範囲の中の約５３０ｎｍとされ且つ半値幅が４０ｎｍ未満とされる発光スペクトルを有する。赤色蛍光体は、青色の光を励起光として、赤色に属する波長領域（約６００ｎｍ〜約７８０ｎｍ）の光、つまり赤色の光を蛍光光として発するものとされる。赤色蛍光体は、好ましくは、ピーク波長が赤色の光の波長範囲の中の約６１０ｎｍとされ且つ半値幅が４０ｎｍ未満とされる発光スペクトルを有する。
【００３２】  このように、各色の蛍光体は、励起波長が蛍光波長よりも短波長とされるダウンコンバージョン型（ダウンシフティング型）とされている。このダウンコンバージョン型の蛍光体は、相対的に短波長で且つ高いエネルギーを持つ励起光を、相対的に長波長で且つ低いエネルギーを持つ蛍光光に変換するものとされる。従って、仮に励起波長が蛍光波長よりも長波長とされるアップコンバージョン型の蛍光体を用いた場合（量子効率が例えば２８％程度）に比べると、量子効率（光の変換効率）が３０％〜５０％程度と、より高いものとなっている。各色の蛍光体は、それぞれ量子ドット蛍光体（Quantum Dot Phosphor）とされる。量子ドット蛍光体は、ナノサイズ（例えば直径２ｎｍ〜１０ｎｍ程度）の半導体結晶中に電子・正孔や励起子を三次元空間全方位で閉じ込めることで、離散的エネルギー準位を有しており、そのドットのサイズを変えることで発光光のピーク波長（発光色）などを適宜に選択することが可能とされる。この量子ドット蛍光体の発光光（蛍光光）は、その発光スペクトルにおけるピークが急峻となってその半値幅が狭くなることから、色純度が極めて高くなるとともにその色域が広いものとなる。量子ドット蛍光体の材料としては、２価の陽イオンになるＺｎ、Ｃｄ、Ｈｇ、Ｐｂ等と２価の陰イオンになるＯ、Ｓ、Ｓｅ、Ｔｅ等とを組み合わせた材料（ＣｄＳｅ（セレン化カドミウム）、ＺｎＳ（硫化亜鉛）等）、３価の陽イオンとなるＧａ、Ｉｎ等と３価の陰イオンとなるＰ、Ａｓ、Ｓｂ等とを組み合わせた材料（ＩｎＰ（リン化インジウム）、ＧａＡｓ（ヒ化ガリウム）等）、さらにはカルコパイライト型化合物（ＣｕＩｎＳｅ2等）などがある。本実施形態では、量子ドット蛍光体の材料として、上記のうちのＣｄＳｅとＺｎＳとを併用している。また、本実施形態において用いる量子ドット蛍光体は、いわゆるコア・シェル型量子ドット蛍光体とされる。コア・シェル型量子ドット蛍光体は、量子ドットの周囲を、比較的バンドギャップの大きな半導体物質からなるシェルによって被覆した構成とされる。具体的には、コア・シェル型量子ドット蛍光体として、シグマ  アルドリッチ  ジャパン合同会社の製品である「Lumidot（登録商標）  ＣｄＳｅ／ＺｎＳ」を用いるのが好ましい。
【００３３】  蛍光体含有部２９は、図７及び図８に示すように、容器３０の内部空間に密封されており、Ｘ軸方向及びＺ軸方向に沿う面を有している。蛍光体含有部２９は、その形成範囲が、Ｘ軸方向についてＬＥＤ基板１８におけるＬＥＤ１７の実装範囲の大部分に対して重畳するとともに、Ｚ軸方向についてＬＥＤ１７の発光面１７ａの全域に対して重畳するよう設定されている。蛍光体含有部２９は、その厚さ寸法（Ｙ軸方向についての寸法）が、次述する容器３０の厚さ寸法よりも小さくて具体的には約０．５ｍｍ程度とされる。蛍光体含有部２９は、Ｘ軸方向及びＺ軸方向に沿う表裏の両面が共にフラットな面とされ、ＬＥＤ１７の発光面１７ａ及び導光板１９の入光端面１９ｂにそれぞれ並行している。
【００３４】  容器３０は、ほぼ透明で透光性に優れた無機ガラス材料（例えば無アルカリガラスや石英ガラスなど）からなり、その屈折率は、例えば約１．５程度とされる。容器３０は、図７及び図８に示すように、蛍光体含有部２９をその全長にわたって取り囲んでおり、Ｘ軸方向に沿って延在する略有底筒状をなすとともにその長さ方向（延在方向）と直交する形で切断した断面形状が縦長な略長円形状をなしている。容器３０における長さ方向に沿った両外面が、既述した入光面２０ａ及び出光面２０ｂを構成している。容器３０は、その厚さ寸法が、上記した蛍光体含有部２９の厚さ寸法よりも大きくて具体的には約１ｍｍ程度ずつとされる。容器３０は、その長さ方向についての一方の端側部分が封止部３１により封止されている。つまり、この波長変換部２０は、片端側のみが封止部３１により封止された片側封止構造とされている。容器３０は、製造過程において蛍光体含有部２９が形成される前の段階では、一方の端側部分が外部に開口しているのに対し、他方の端側部分が底部３０ａにより閉塞した状態とされており、蛍光体含有部２９が形成された後に開口が封止部３１により封止されるようになっている。封止部３１は、容器３０と同一の無機ガラス材料からなるものとされているので、容器３０における端側部分を高い密閉性でもって封止することができる。封止部３１におけるＸ軸方向についての寸法は、容器３０における底部３０ａの厚み寸法よりは大きく、ＬＥＤ１７におけるＸ軸方向についての寸法よりも小さいか同じ程度とされており、具体的には例えば５ｍｍ程度とされる。
【００３５】  上記のような構成の波長変換部２０における長さ方向についての一対の端側部分２０ＥＰのうち、一方の端側部分２０ＥＰに封止部３１が設けられるのに対し、他方の端側部分２０ＥＰに封止部３１が設けられていないことから、以下では前者を封止部設置端側部分２０ＥＰ１とし、後者を封止部非設置端側部分（底部設置端側部分）２０ＥＰ２とする。波長変換部２０における封止部設置端側部分２０ＥＰ１は、封止部３１を有しているのに対し、封止部非設置端側部分２０ＥＰ２は、封止部３１を有さずに容器３０の底部３０ａを有しているため、波長変換部２０における長さ方向についての両端縁には、蛍光体が配置されない領域がそれぞれ少なからず存在することになる。特に、封止部設置端側部分２０ＥＰ１における端縁は、蛍光体が配置されない領域が封止部３１におけるＸ軸方向についての寸法分だけ存在しており、封止部非設置端側部分２０ＥＰ２の同領域（底部３０ａの厚み寸法分）よりも広いものとなっている。ここで、液晶表示装置１０及びバックライト装置１２の狭額縁化が進行すると、波長変換部２０における蛍光体が配置されない領域がＬＥＤ１７とＸ軸方向について重なり合う位置関係となり易く、それに起因してＬＥＤ１７からの青色の光が蛍光体により波長変換されずに導光板１９の入光端面１９ｂにおける長さ方向の端側部分に入射し、導光板１９におけるＸ軸方向についての端側部分から出射する光が青色味を帯びたものとなる、といった色ムラを発生させる事態が懸念されていた。特に、封止部設置端側部分２０ＥＰ１における端縁は、蛍光体が配置されない領域が広いことから、同領域がＬＥＤ１７とＸ軸方向について重なり合う位置関係となり易く、色ムラの発生が懸念されていた。
【００３６】  そこで、本実施形態に係るバックライト装置１２に備えられるＬＥＤ駆動基板ＬＤＢは、図９から図１１に示すように、ＬＥＤ基板１８においてＸ軸方向に沿って並ぶ形で設けられた複数のＬＥＤ１７のうち、その並び方向（Ｘ軸方向）について一方の端側に位置する端側ＬＥＤ（端側光源）１７Ｅ（後述する第１端側ＬＥＤ１７Ｅ１）における単位時間当たりの発光量が、並び方向について中央側に位置する中央側ＬＥＤ（中央側光源）１７Ｃにおける単位時間当たりの発光量よりも少なくなるよう制御するＬＥＤ制御部３２を備えている。このようにすれば、一方の端側に位置する端側ＬＥＤ１７Ｅから波長変換部２０における長さ方向の端側部分２０ＥＰに供給される光量が、中央側ＬＥＤ１７Ｃから長さ方向の中央側部分２０ＣＰに供給される光量よりも少ないものとなる。従って、波長変換部２０における長さ方向の端縁に蛍光体が配置されない領域が生じ、その領域が一方の端側に位置する端側ＬＥＤ１７Ｅと重なり合うような位置関係になっても、波長変換部２０における長さ方向の端側部分２０ＥＰに端側ＬＥＤ１７Ｅから供給される光量が少なくされることで、蛍光体により波長変換されずに導光板１９の入光端面１９ｂに入射される光量も少なくなる。これにより、導光板１９の入光端面１９ｂにおける長さ方向の端側部分に入射される光の色味と、入光端面１９ｂにおける長さ方向の中央側部分に入射される光の色味と、に差が生じ難くなるので、狭額縁化が進行しても出光板面１９ａから出射される光に色ムラが発生し難いものとなる。なお、ＬＥＤ１７を区別する場合には、中央側ＬＥＤの符号に添え字「Ｃ」を、端側ＬＥＤの符号に添え字「Ｅ」を付し、区別せずに総称する場合には、符号に添え字を付さないものとする。
【００３７】  詳しくは、図９に示すように、複数のＬＥＤ１７のうち、その並び方向の両端に位置するものが一対の端側ＬＥＤ１７Ｅとされ、それら一対の端側ＬＥＤ１７Ｅの間に挟まれるものが複数の中央側ＬＥＤ１７Ｃとされている。一対の端側ＬＥＤ１７Ｅのうち、図９に示す右端に位置するものが、波長変換部２０の封止部設置端側部分２０ＥＰ１と対向状をなす第１端側ＬＥＤ１７Ｅ１とされるのに対し、図９に示す左端に位置するものが、封止部非設置端側部分２０ＥＰ２と対向状をなす第２端側ＬＥＤ１７Ｅ２とされている。そして、封止部設置端側部分２０ＥＰ１と対向状をなすものが第１端側ＬＥＤ１７Ｅ１における単位時間当たりの発光量が、並び方向について中央側に位置する中央側ＬＥＤ１７Ｃにおける単位時間当たりの発光量よりも少なくなるようＬＥＤ制御部３２により制御されている。なお、一対の端側ＬＥＤ１７Ｅを区別する場合には、封止部設置端側部分２０ＥＰ１と対向状をなす第１端側ＬＥＤの符号に添え字「１」を、封止部非設置端側部分２０ＥＰ２と対向状をなす第２端側ＬＥＤの符号に添え字「２」を付し、区別せずに総称する場合には、符号に添え字を付さないものとする。
【００３８】  ＬＥＤ制御部３２は、図１０及び図１１に示すように、第１端側ＬＥＤ１７Ｅ１に接続されてその第１端側ＬＥＤ１７Ｅ１における単位時間当たりの発光量が相対的に少なくなるよう駆動を制御する少発光量ＬＥＤ制御部（少発光量光源制御部）３２Ａと、複数の中央側ＬＥＤ１７Ｃ及び第２端側ＬＥＤ１７Ｅ２に接続されてそれら複数の中央側ＬＥＤ１７Ｃ及び第２端側ＬＥＤ１７Ｅ２における単位時間当たりの発光量が相対的に多くなるよう駆動を制御する多発光量ＬＥＤ制御部（多発光量光源制御部、基準発光量光源制御部）３２Ｂと、を備えている。つまり、複数の中央側ＬＥＤ１７Ｃ及び第２端側ＬＥＤ１７Ｅ２は、多発光量ＬＥＤ制御部３２Ｂによって単位時間当たりの発光量が互いに等しくなるとともに、第１端側ＬＥＤ１７Ｅ１に係る同発光量よりも相対的に多くなるよう制御されている。このように、複数の中央側ＬＥＤ１７Ｃ及び第２端側ＬＥＤ１７Ｅ２における単位時間当たりの発光量が互いに等しくされることで、複数の中央側ＬＥＤ１７Ｃ及び第２端側ＬＥＤ１７Ｅ２に係る発光量の制御が簡単になるので、複数の中央側ＬＥＤ１７Ｃ及び第２端側ＬＥＤ１７Ｅ２と多発光量ＬＥＤ制御部３２Ｂとを電気的に接続する配線などの部材に係る構成が簡素化される。なお、ＬＥＤ制御部３２を区別する場合には、少発光量ＬＥＤ制御部の符号に添え字「Ａ」を、多発光量ＬＥＤ制御部の符号に添え字「Ｂ」を付し、区別せずに総称する場合には、符号に添え字を付さないものとする。
【００３９】  この多発光量ＬＥＤ制御部３２Ｂによって制御される複数の中央側ＬＥＤ１７Ｃ及び第２端側ＬＥＤ１７Ｅ２における単位時間当たりの発光量が、バックライト装置１２におけるＬＥＤ１７の基準発光量とされる。これに対し、少発光量ＬＥＤ制御部３２Ａによって制御される第１端側ＬＥＤ１７Ｅ１における単位時間当たりの発光量は、上記基準発光量よりも少ないものとされている。従って、第１端側ＬＥＤ１７Ｅ１と対向状をなす波長変換部２０の封止部設置端側部分２０ＥＰ１に入射される単位時間当たりの光量は、複数の中央側ＬＥＤ１７Ｃ及び第２端側ＬＥＤ１７Ｅ２と対向状をなす波長変換部２０の中央側部分２０ＣＰ及び封止部非設置端側部分２０ＥＰ２に入射される単位時間当たりの光量よりも少ないものとなる。これにより、封止部設置端側部分２０ＥＰ１の端縁に蛍光体含有部２９が配置されない領域が生じ、その領域が第１端側ＬＥＤ１７Ｅ１と重なり合うような位置関係になっても、封止部設置端側部分２０ＥＰ１に第１端側ＬＥＤ１７Ｅ１から供給される光量が少なくされることで、蛍光体含有部２９の蛍光体により波長変換されずに導光板１９の入光端面１９ｂに入射される光量も少なくなり、もって色ムラの発生が抑制されるようになっている。なお、以下では、図１０に示すように、少発光量ＬＥＤ制御部３２Ａに接続される第１端側ＬＥＤ１７Ｅ１を少発光量ＬＥＤ（少発光量光源）３３とし、多発光量ＬＥＤ制御部３２Ｂに接続される複数の中央側ＬＥＤ１７Ｃ及び第２端側ＬＥＤ１７Ｅ２を多発光量ＬＥＤ群（多発光量光源群、基準発光量光源群）３４とする。
【００４０】  各ＬＥＤ１７の具体的な駆動に関しては、ＬＥＤ制御部３２は、図１０及び図１１に示すように、各ＬＥＤ１７にパルス信号を供給するとともに、各ＬＥＤ１７における点灯期間ＬＰと消灯期間（非点灯期間）ＮＬＰとの時間比率（デューティ比）を調整することで単位時間当たりの発光量を制御するものとされる。つまり、ＬＥＤ制御部３２は、各ＬＥＤ１７を周期的に点滅させ、その点灯期間ＬＰと消灯期間ＮＬＰとの時間比率を変化させるＰＷＭ（Pulse Width Modulation）調光駆動を行うものとされる。具体的には、少発光量ＬＥＤ制御部３２Ａは、少発光量ＬＥＤ３３（第１端側ＬＥＤ１７Ｅ１）にパルス信号を供給することで、多発光量ＬＥＤ群３４（複数の中央側ＬＥＤ１７Ｃ及び第２端側ＬＥＤ１７Ｅ２）に比べると、少発光量ＬＥＤ３３の点灯期間ＬＰが相対的に短くなるとともに消灯期間ＮＬＰが相対的に長くなるよう、少発光量ＬＥＤ３３を調光駆動している。これに対し、多発光量ＬＥＤ制御部３２Ｂは、多発光量ＬＥＤ群３４（複数の中央側ＬＥＤ１７Ｃ及び第２端側ＬＥＤ１７Ｅ２）にパルス信号を供給することで、少発光量ＬＥＤ３３（第１端側ＬＥＤ１７Ｅ１）に比べると、多発光量ＬＥＤ群３４の点灯期間ＬＰが相対的に長くなるとともに消灯期間ＮＬＰが相対的に短くなるよう、多発光量ＬＥＤ群３４を調光駆動している。
【００４１】  本実施形態は以上のような構造であり、続いてその作用を説明する。液晶表示装置１０の電源をＯＮすると、図示しないコントロール基板のパネル制御回路により液晶パネル１１の駆動が制御されるとともに、ＬＥＤ駆動基板ＬＤＢのＬＥＤ制御部３２からの駆動電力がＬＥＤ基板１８の各ＬＥＤ１７に供給されることでその駆動が制御される。各ＬＥＤ１７からの光は、導光板１９により導光されることで、光学部材１５を介して液晶パネル１１に照射され、もって液晶パネル１１に所定の画像が表示される。以下、バックライト装置１２に係る作用について詳しく説明する。
【００４２】  各ＬＥＤ１７を点灯させると、各ＬＥＤ１７の発光面１７ａから発せられた青色の光（一次光）は、図７及び図８に示すように、波長変換部２０の入光面２０ａに入射し、容器３０内の蛍光体含有部２９に含有される緑色蛍光体及び赤色蛍光体により緑色の光及び赤色の光（二次光）へと波長変換される。この波長変換された緑色の光及び赤色の光と、ＬＥＤ１７の青色の光と、によって、概ね白色の照明光が得られることになる。蛍光体含有部２９にて波長変換された緑色の光及び赤色の光と、蛍光体含有部２９にて波長変換されなかった青色の光と、は、波長変換部２０の出光面２０ｂから出射して導光板１９における入光端面１９ｂに入射する。入光端面１９ｂに入射した光は、導光板１９における外部の空気層との界面にて全反射されたり、反射シート２５により反射されるなどして導光板１９内を伝播されつつ、光反射パターンの光反射部にて散乱反射されることで、出光板面１９ａに対する入射角が臨界角を超えない光となって出光板面１９ａからの出射が促されるようになっている。導光板１９の出光板面１９ａを出射した光は、各光学部材１５を透過する過程でそれぞれ光学作用を付与された上で液晶パネル１１に対して照射される。
【００４３】  波長変換部２０に係る作用について詳しく説明する。図７及び図８に示すように、ＬＥＤ１７から発せられた青色の光（一次光）が波長変換部２０の入光面２０ａに入射すると、容器３０内に充填された蛍光体含有部２９に分散配合された緑色蛍光体及び赤色蛍光体では青色の光の一部が励起光として利用されて緑色蛍光体及び赤色蛍光体から緑色の光及び赤色の光（二次光）が発せられる。波長変換された緑色の光及び赤色の光と、未変換の青色の光と、は、波長変換部２０の出光面２０ｂから出射して導光板１９の入光端面１９ｂに入射されることになる。ここで、波長変換部２０における長さ方向の両端側部分２０ＥＰの各端縁には、封止部３１及び容器３０の底部３０ａが存在するため、当該部位には緑色蛍光体及び赤色蛍光体が配置されることがないものとされる。液晶表示装置１０及びバックライト装置１２の狭額縁化が進行すると、波長変換部２０における緑色蛍光体及び赤色蛍光体が配置されない部位である封止部３１及び底部３０ａが、ＬＥＤ基板１８におけるＬＥＤ１７の並び方向（Ｘ軸方向）について端に位置する端側ＬＥＤ１７Ｅと重なり合う位置関係となり易くなる。このような位置関係に起因してＬＥＤ１７からの光が緑色蛍光体及び赤色蛍光体により波長変換されずに導光板１９の入光端面１９ｂにおける長さ方向の端側部分に入射することが懸念されていた。特に、封止部設置端側部分２０ＥＰ１の封止部３１は、封止部非設置端側部分２０ＥＰ２における容器３０の底部３０ａに比べると、Ｘ軸方向についての寸法が大きなものとなっているから、第１端側ＬＥＤ１７Ｅ１に対してＸ軸方向について重なり合う位置関係によりなり易く、それに起因して第１端側ＬＥＤ１７Ｅ１からの青色の光が緑色蛍光体及び赤色蛍光体により波長変換されずに導光板１９の入光端面１９ｂのうち、封止部設置端側部分２０ＥＰ１と対向状をなす長さ方向の端側部分に入射して青色味を帯びた出射光が出光板面１９ａの一部から出射することが懸念されていた。
【００４４】  その点、本実施形態によれば、複数のＬＥＤ１７は、図９から図１１に示すように、ＬＥＤ制御部３２によってそれぞれの単位時間当たりの発光量が制御されており、第１端側ＬＥＤ１７Ｅ１は、中央側ＬＥＤ１７Ｃに比べると、単位時間当たりの発光量が相対的に少なくなるよう少発光量ＬＥＤ制御部３２Ａにより制御されているので、第１端側ＬＥＤ１７Ｅ１から波長変換部２０の封止部設置端側部分２０ＥＰ１に供給される光量が、中央側ＬＥＤ１７Ｃから中央側部分２０ＣＰに供給される光量よりも少ないものとなる。従って、波長変換部２０における長さ方向の端縁に蛍光体が配置されない領域が生じ、その領域が第１端側ＬＥＤ１７Ｅ１と重なり合うような位置関係になっても、波長変換部２０の封止部設置端側部分２０ＥＰ１に第１端側ＬＥＤ１７Ｅ１から供給される光量が少なくされることで、蛍光体により波長変換されずに導光板１９の入光端面１９ｂに入射される光量も少なくなる。これにより、導光板１９の入光端面１９ｂにおける長さ方向の端側部分に入射される光の色味と、入光端面１９ｂにおける長さ方向の中央側部分に入射される光の色味と、に差が生じ難くなるので、狭額縁化が進行しても出光板面１９ａから出射される光に色ムラが発生し難いものとなる。
【００４５】  詳しくは、多発光量ＬＥＤ群３４である複数の中央側ＬＥＤ１７Ｃ及び第２端側ＬＥＤ１７Ｅ２は、図１１に示すように、少発光量ＬＥＤ３３である第１端側ＬＥＤ１７Ｅ１に比べると、多発光量ＬＥＤ制御部３２Ｂによって点灯期間ＬＰが相対的に長くなるとともに消灯期間ＮＬＰが相対的に短くなるようＰＷＭ調光駆動がなされることで、単位時間当たりの発光量が相対的に少なくなるよう制御されている。この多発光量ＬＥＤ群３４における単位時間当たりの発光量は、基準発光量とされており、多発光量ＬＥＤ群３４から発せられた青色の光は、その一部が波長変換部２０の中央側部分２０ＣＰ及び封止部非設置端側部分２０ＥＰ２において蛍光体含有部２９に含まれる緑色蛍光体及び赤色蛍光体によって緑色の光及び赤色の光へと波長変換されて白色化された後に、導光板１９の入光端面１９ｂにおける長さ方向の中央側部分及び封止部非設置端側部分２０ＥＰ２と対向状をなす端側部分へと入射されるようになっている。これにより、導光板１９の出光板面１９ａのうち、Ｘ軸方向について波長変換部２０の中央側部分２０ＣＰ及び封止部非設置端側部分２０ＥＰ２（多発光量ＬＥＤ群３４）と重なり合う部分から発せられる光が白色を呈するものとなる。なお、封止部非設置端側部分２０ＥＰ２は、封止部設置端側部分２０ＥＰ１に比べると、蛍光体が配置されない領域（底部３０ａの厚み寸法）が相対的に狭いため、同領域が第２端側ＬＥＤ１７Ｅ２に対してＸ軸方向について重なり合う位置関係とは相対的になり難くなっており、少なくとも本実施形態においては第２端側ＬＥＤ１７Ｅ２から発せられた青色の光が底部３０ａに直接的に入射し難くて色ムラが発生し難いものとなっている。
【００４６】  これに対し、少発光量ＬＥＤ３３である第１端側ＬＥＤ１７Ｅ１は、図１１に示すように、多発光量ＬＥＤ群３４である複数の中央側ＬＥＤ１７Ｃ及び第２端側ＬＥＤ１７Ｅ２に比べると、少発光量ＬＥＤ制御部３２Ａによって点灯期間ＬＰが相対的に短くなるとともに消灯期間ＮＬＰが相対的に長くなるようＰＷＭ調光駆動がなされることで、単位時間当たりの発光量が相対的に少なくなるよう制御されている。従って、少発光量ＬＥＤ３３が波長変換部２０の封止部設置端側部分２０ＥＰ１における封止部３１に対してＸ軸方向について重なり合う位置関係となった場合でも、少発光量ＬＥＤ３３から発せられる青色の光が相対的に少なくされることで、封止部３１を透過して導光板１９の入光端面１９ｂのうち封止部設置端側部分２０ＥＰ１と対向状をなす端側部分へと波長変換されることなく直接入射する青色の光も少ないものとなる。これにより、導光板１９の出光板面１９ａのうち、Ｘ軸方向について波長変換部２０の封止部設置端側部分２０ＥＰ１（少発光量ＬＥＤ３３）と重なり合う部分から出射される光が青色味を帯び難いものとなり、他の部分（Ｘ軸方向について波長変換部２０の中央側部分２０ＣＰ及び封止部非設置端側部分２０ＥＰ２と重なり合う部分）から発せられる光との間に色味の差が生じ難いものとなる。もって出光板面１９ａからの出射光に係る色味がその面内において均一化されたものとなり、色ムラの発生が好適に抑制されている。より具体的には、少発光量ＬＥＤ制御部３２Ａは、多発光量ＬＥＤ制御部３２Ｂに比べると、点灯期間ＬＰの時間比率（デューティ比）を３％〜７％の範囲で少なくするものとしており、それにより上記のような色ムラ改善効果が十分に得ることができる。
【００４７】  以上説明したように本実施形態のバックライト装置（照明装置）１２は、列状に並んで配されてその並び方向の端側に配される複数の端側ＬＥＤ（端側光源）１７Ｅと並び方向の中央側に配される中央側ＬＥＤ（中央側光源）１７Ｃとを含む複数のＬＥＤ（光源）１７と、外周端面の少なくとも一部であって並び方向に沿って延在して複数のＬＥＤ１７からの光が入射される入光端面１９ｂと一対の板面のいずれかであって光を出射させる出光板面１９ａとを有する導光板１９と、並び方向に沿って延在するとともに複数のＬＥＤ１７と入光端面１９ｂとの間に介在する形で配されて複数のＬＥＤ１７からの光を波長変換する蛍光体を有する波長変換部２０と、複数のＬＥＤ１７における単位時間当たりの発光量を制御するＬＥＤ制御部３２であって、少なくともいずれか１つの端側ＬＥＤ１７Ｅに係る発光量が、中央側ＬＥＤ１７Ｃに係る発光量よりも少なくなるよう制御するＬＥＤ制御部（光源制御部）３２と、を備える。
【００４８】  このようにすれば、複数のＬＥＤ１７から発せられた光は、複数のＬＥＤ１７と入光端面１９ｂとの間に介在する形で配される波長変換部２０に有される蛍光体にて波長変換されるなどしてから導光板１９の入光端面１９ｂに入射されて導光板１９内を伝播された後に出光板面１９ａから出射される。この波長変換部２０は、複数のＬＥＤ１７の並び方向に沿って延在しているが、その長さ方向の端縁には蛍光体が配置されない領域が生じるものとされる。ここで、当該バックライト装置１２の狭額縁化が進行すると、波長変換部２０における蛍光体が配置されない領域が端側ＬＥＤ１７Ｅと重なり合う位置関係となり易く、それに起因して端側ＬＥＤ１７Ｅからの光が蛍光体により波長変換されずに導光板１９の入光端面１９ｂにおける長さ方向の端側部分に入射することが懸念されていた。これに対し、複数のＬＥＤ１７は、ＬＥＤ制御部３２によってそれぞれの単位時間当たりの発光量が制御されており、少なくともいずれか１つの端側ＬＥＤ１７Ｅは、中央側ＬＥＤ１７Ｃに比べると、単位時間当たりの発光量が相対的に少なくなるようＬＥＤ制御部３２により制御されているので、端側ＬＥＤ１７Ｅから波長変換部２０における長さ方向の端側部分に供給される光量が、中央側ＬＥＤ１７Ｃから長さ方向の中央側部分に供給される光量よりも少ないものとなる。従って、波長変換部２０における長さ方向の端縁に蛍光体が配置されない領域が生じ、その領域が端側ＬＥＤ１７Ｅと重なり合うような位置関係になっても、波長変換部２０における長さ方向の端側部分に端側ＬＥＤ１７Ｅから供給される光量が少なくされることで、蛍光体により波長変換されずに導光板１９の入光端面１９ｂに入射される光量も少なくなる。これにより、導光板１９の入光端面１９ｂにおける長さ方向の端側部分に入射される光の色味と、入光端面１９ｂにおける長さ方向の中央側部分に入射される光の色味と、に差が生じ難くなるので、狭額縁化が進行しても出光板面１９ａから出射される光に色ムラが発生し難いものとなる。
【００４９】  また、波長変換部２０は、その長さ方向についての一対の端側部分２０ＥＰのうちの一方側が封止部３１が設けられた封止部設置端側部分２０ＥＰ１とされるのに対し、他方側が封止部３１が設けられない封止部非設置端側部分２０ＥＰ２とされており、ＬＥＤ制御部３２は、波長変換部２０の封止部設置端側部分２０ＥＰ１と対向状をなす端側ＬＥＤ１７Ｅである第１端側ＬＥＤ１７Ｅ１に係る発光量が、波長変換部２０の封止部非設置端側部分２０ＥＰ２と対向状をなす端側ＬＥＤ１７Ｅである第２端側ＬＥＤ１７Ｅ２に係る発光量よりも少なくなるよう制御する。このように、波長変換部２０における長さ方向についての一対の端側部分２０ＥＰのうち一方側は、封止部３１が設けられた封止部設置端側部分２０ＥＰ１とされるため、蛍光体が配置されない範囲が、封止部３１が設けられない封止部非設置端側部分２０ＥＰ２よりも広くなり易い傾向にある。その点、ＬＥＤ制御部３２によって波長変換部２０の封止部設置端側部分２０ＥＰ１と対向状をなす第１端側ＬＥＤ１７Ｅ１に係る発光量が、波長変換部２０の封止部非設置端側部分２０ＥＰ２と対向状をなす第２端側ＬＥＤ１７Ｅ２に係る発光量よりも少なくなるよう制御されることで、封止部設置端側部分２０ＥＰ１を透過して入光端面１９ｂに達する光と、中央側部分を透過して入光端面１９ｂに達する光と、封止部非設置端側部分２０ＥＰ２を透過して入光端面１９ｂに達する光と、に色味の差が生じ難くなる。これにより、色ムラの発生がより好適に抑制される。
【００５０】  また、ＬＥＤ制御部３２は、波長変換部２０の封止部非設置端側部分２０ＥＰ２と対向状をなす端側ＬＥＤ１７Ｅである第２端側ＬＥＤ１７Ｅ２に係る発光量が、中央側ＬＥＤ１７Ｃに係る発光量と等しくなるよう制御する。このようにすれば、複数のＬＥＤ１７Ｃ，１７Ｅ２に係る発光量の制御が簡単になるので、ＬＥＤ１７とＬＥＤ制御部３２とを電気的に接続する配線などの部材に係る構成が簡素化される。
【００５１】  また、ＬＥＤ制御部３２は、複数のＬＥＤ１７にパルス信号を供給するとともに、複数のＬＥＤ１７における点灯期間ＬＰと消灯期間ＮＬＰとの時間比率を調整することで単位時間当たりの発光量を制御する。このようにすれば、複数のＬＥＤ１７における単位時間当たりの発光量に係るダイナミックレンジが十分に広いものとなる。
【００５２】  また、ＬＥＤ１７は、青色の光を発するものとされており、波長変換部２０は、蛍光体として、青色の光を緑色の光に波長変換する緑色蛍光体及び青色の光を赤色の光に波長変換する赤色蛍光体を有する。このようにすれば、ＬＥＤ１７から発せられた青色の光は、波長変換部２０に含有される緑色蛍光体及び赤色蛍光体により緑色の光及び赤色の光に波長変換される。ここで、波長変換部２０における長さ方向の端縁に蛍光体が配置されない領域が生じ、その領域が端側ＬＥＤ１７Ｅと重なり合うような位置関係になっても、波長変換部２０における長さ方向の端側部分２０ＥＰに端側ＬＥＤ１７Ｅから供給される青色の光の光量が少なくされることで、蛍光体により波長変換されずに導光板１９の入光端面１９ｂに入射される光が青色味を帯び難いものとなる。これにより、色ムラの発生が好適に抑制される。
【００５３】  また、波長変換部２０は、蛍光体として量子ドット蛍光体を含有している。このようにすれば、波長変換部２０による光の波長変換効率がより高いものとなるとともに、波長変換された光の色純度が高いものとなる。
【００５４】  本実施形態に係る液晶表示装置１０は、上記記載のバックライト装置１２と、バックライト装置１２から照射される光を利用して画像を表示する液晶パネル（表示パネル）１１と、を備える。このような構成の液晶表示装置１０によれば、バックライト装置１２からの光に色ムラが生じ難いものとなっているから、表示品位に優れた表示を実現することができる。
【００５５】  本実施形態に係るテレビ受信装置１０ＴＶは、上記記載の液晶表示装置１０を備える。このようなテレビ受信装置１０ＴＶによれば、液晶表示装置１０の表示品位が優れたものとされているから、表示品位に優れたテレビ画像の表示を実現することができる。
【００５６】  ＜実施形態２＞  本発明の実施形態２を図１２から図１４によって説明する。この実施形態２では、第２端側ＬＥＤ１１７Ｅ２における単位時間当たりの発光量を変更したものを示す。なお、上記した実施形態１と同様の構造、作用及び効果について重複する説明は省略する。
【００５７】  本実施形態に係る第２端側ＬＥＤ１１７Ｅ２は、図１２に示すように、その一部が、波長変換部１２０の封止部非設置端側部分１２０ＥＰ２のうち蛍光体含有部１２９が配置されない領域である容器１３０の底部１３０ａに対してＸ軸方向について重なり合う配置とされる。このような配置構成は、上記した実施形態１に記載したものよりもバックライト装置１１２の狭額縁化が進行した場合に採られ得るものとされる。このような配置構成において、ＬＥＤ制御部１３２は、図１３に示すように、第１端側ＬＥＤ１１７Ｅ１に接続されてその第１端側ＬＥＤ１１７Ｅ１における単位時間当たりの発光量が最も少なくなるよう駆動を制御する第１少発光量ＬＥＤ制御部（第１少発光量光源制御部）１３２Ａ１と、第２端側ＬＥＤ１１７Ｅ２に接続されてその第２端側ＬＥＤ１１７Ｅ２における単位時間当たりの発光量が２番目に少なくなるよう駆動を制御する第２少発光量ＬＥＤ制御部（第２少発光量光源制御部）１３２Ａ２と、複数の中央側ＬＥＤ１１７Ｃに接続されてそれら複数の中央側ＬＥＤ１１７Ｃにおける単位時間当たりの発光量が最も多くなるよう駆動を制御する多発光量ＬＥＤ制御部１３２Ｂと、を備えている。つまり、このＬＥＤ制御部１３２には、２つの少発光量ＬＥＤ制御部１３２Ａ１，１３２Ａ２が備えられ、且つそれらによって制御される２つの端側ＬＥＤ１１７Ｅ１，１１７Ｅ２に係る単位時間当たりの発光量が互いに異なるものとされる。
【００５８】  多発光量ＬＥＤ制御部１３２Ｂによって制御される複数の中央側ＬＥＤ１１７Ｃにおける単位時間当たりの発光量が、バックライト装置１１２におけるＬＥＤ１１７の基準発光量とされる。これに対し、第１少発光量ＬＥＤ制御部１３２Ａ１及び第２少発光量ＬＥＤ制御部１３２Ａ２によって制御される第１端側ＬＥＤ１１７Ｅ１及び第２端側ＬＥＤ１１７Ｅ２におけるそれぞれの単位時間当たりの発光量は、図１４に示すように、上記基準発光量よりも少ないものとされている。その上で、第１少発光量ＬＥＤ制御部１３２Ａ１によって制御される第１端側ＬＥＤ１１７Ｅ１における単位時間当たりの発光量は、第２少発光量ＬＥＤ制御部１３２Ａ２によって制御される第２端側ＬＥＤ１１７Ｅ２における単位時間当たりの発光量よりも少ないものとされている。従って、波長変換部１２０に入射される単位時間当たりの光量は、第１端側ＬＥＤ１１７Ｅ１と対向状をなす封止部設置端側部分１２０ＥＰ１、第２端側ＬＥＤ１１７Ｅ２と対向状をなす封止部非設置端側部分１２０ＥＰ２、複数の中央側ＬＥＤ１１７Ｃと対向状をなす中央側部分１２０ＣＰ、の順で多くなるものとされる。また、第１少発光量ＬＥＤ制御部１３２Ａ１に接続される第１端側ＬＥＤ１１７Ｅ１が第１少発光量ＬＥＤ（第１少発光量光源）１３３Ａとされ、第２少発光量ＬＥＤ制御部１３２Ａ２に接続される第２端側ＬＥＤ１１７Ｅ２が第２少発光量ＬＥＤ（第２少発光量光源）１３３Ｂとされ、多発光量ＬＥＤ制御部１３２Ｂに接続される複数の中央側ＬＥＤ１１７Ｃが多発光量ＬＥＤ群１３４とされる。
【００５９】  ここで、波長変換部１２０のうち、第１端側ＬＥＤ１１７Ｅ１が対向状をなす封止部設置端側部分１２０ＥＰ１は、図１２に示すように、蛍光体含有部１２９が配置されない領域として封止部１３１を有しているのに対し、封止部非設置端側部分１２０ＥＰ２は、蛍光体含有部１２９が配置されない領域として容器１３０の底部１３０ａを有しており、これらがＸ軸方向について占める範囲は、封止部１３１（封止部設置端側部分１２０ＥＰ１）の方が底部１３０ａ（封止部非設置端側部分１２０ＥＰ２）よりも相対的に広くなっている。従って、第１端側ＬＥＤ１１７Ｅ１及び第２端側ＬＥＤ１１７Ｅ２における単位時間当たりの発光量は、これらが対向状をなす波長変換部１２０の封止部設置端側部分１２０ＥＰ１及び封止部非設置端側部分１２０ＥＰ２における蛍光体含有部１２９が配置されない領域のＸ軸方向についての広さに対して逆相関の関係となるよう設定されている、と言える。
【００６０】  より詳しくは、封止部設置端側部分１２０ＥＰ１及び封止部非設置端側部分１２０ＥＰ２の各端縁における蛍光体含有部１２９が配置されない領域が、第１端側ＬＥＤ１１７Ｅ１及び第２端側ＬＥＤ１１７Ｅ２に対してそれぞれＸ軸方向について重なり合う位置関係となった場合、その重なり範囲は、図１２に示すように、第１端側ＬＥＤ１１７Ｅ１及び封止部設置端側部分１２０ＥＰ１の方が、第２端側ＬＥＤ１１７Ｅ２及び封止部非設置端側部分１２０ＥＰ２よりも広くなる傾向にある。これに対し、第１端側ＬＥＤ１１７Ｅ１は、中央側ＬＥＤ１１７Ｃ及び第２端側ＬＥＤ１１７Ｅ２よりも単位時間当たりの発光量が少なくなるよう第１少発光量ＬＥＤ制御部１３２Ａ１により制御されているので、封止部設置端側部分１２０ＥＰ１に対するＸ軸方向についての重なり範囲が相対的に広くなっていても、波長変換されないまま封止部設置端側部分１２０ＥＰ１を透過し得る青色の光に係る光量が十分に少ないものとなる。そして、第２端側ＬＥＤ１１７Ｅ２は、第１端側ＬＥＤ１１７Ｅ１よりも単位時間当たりの発光量が多くなるものの、中央側ＬＥＤ１１７Ｃよりは単位時間当たりの発光量が少なくなるよう第２少発光量ＬＥＤ制御部１３２Ａ２により制御されることで、封止部非設置端側部分１２０ＥＰ２に対するＸ軸方向についての重なり範囲が相対的に狭くなるのに応じて適切なものとなり、もって波長変換されないまま封止部設置端側部分１２０ＥＰ１を透過し得る青色の光に係る光量が十分に少なくなって封止部設置端側部分１２０ＥＰ１を透過する同光量と同等になる。以上により、波長変換部１２０における封止部設置端側部分１２０ＥＰ１を透過して導光板１１９の入光端面１１９ｂに達する光と、中央側部分１２０ＣＰを透過して入光端面１１９ｂに達する光と、封止部非設置端側部分１２０ＥＰ２を透過して入光端面１１９ｂに達する光と、に色味の差が生じ難くなり、もって色ムラの発生がより好適に抑制される。
【００６１】  なお、各ＬＥＤ１１７の具体的な駆動に関しては、第１少発光量ＬＥＤ制御部１３２Ａ１は、図１３及び図１４に示すように、第１少発光量ＬＥＤ１３３Ａ（第１端側ＬＥＤ１１７Ｅ１）にパルス信号を供給することで、他のＬＥＤ１３３Ｂ，１３４のいずれと比べても、第１少発光量ＬＥＤ１３３Ａの点灯期間ＬＰが最も短くなるとともに消灯期間ＮＬＰが最も長くなるよう、第１少発光量ＬＥＤ１３３Ａを調光駆動している。第２少発光量ＬＥＤ制御部１３２Ａ２は、第２少発光量ＬＥＤ１３３Ｂ（第２端側ＬＥＤ１１７Ｅ２）にパルス信号を供給することで、第１少発光量ＬＥＤ１３３Ａに比べると、第２少発光量ＬＥＤ１３３Ｂの点灯期間ＬＰが相対的に長くなるとともに消灯期間ＮＬＰが相対的に短くなるものの、多発光量ＬＥＤ制御部１３２Ｂにより制御される多発光量ＬＥＤ群１３４（複数の中央側ＬＥＤ１１７Ｃ）に比べると、第２少発光量ＬＥＤ１３３Ｂの点灯期間ＬＰが相対的に短くなるとともに消灯期間ＮＬＰが相対的に長くなるよう、第２少発光量ＬＥＤ１３３Ｂを調光駆動している。多発光量ＬＥＤ制御部１３２Ｂは、多発光量ＬＥＤ群１３４（複数の中央側ＬＥＤ１１７Ｃ）にパルス信号を供給することで、第１少発光量ＬＥＤ１３３Ａ及び第２少発光量ＬＥＤ１３３Ｂのいずれと比べても、多発光量ＬＥＤ群１３４の点灯期間ＬＰが最も長くなるとともに消灯期間ＮＬＰが最も短くなるよう、多発光量ＬＥＤ群１３４を調光駆動している。
【００６２】  以上説明したように本実施形態によれば、ＬＥＤ制御部１３２は、波長変換部１２０の封止部非設置端側部分１２０ＥＰ２と対向状をなす端側ＬＥＤ１１７Ｅである第２端側ＬＥＤ１１７Ｅ２に係る発光量が、中央側ＬＥＤ１１７Ｃに係る発光量よりも少なくなるよう制御する。このようにすれば、波長変換部１２０における封止部非設置端側部分１２０ＥＰ２の端縁に蛍光体が配置されない領域が生じ、その領域が第２端側ＬＥＤ１１７Ｅ２と重なり合うような位置関係になっても、封止部非設置端側部分１２０ＥＰ２と対向状をなす第２端側ＬＥＤ１１７Ｅ２から供給される光量が少なくされることで、蛍光体により波長変換されずに導光板１１９の入光端面１１９ｂに入射される光量も少なくなる。これにより、色ムラの発生がより好適に抑制される。
【００６３】  ＜実施形態３＞  本発明の実施形態３を図１５または図１６によって説明する。この実施形態３では、上記した実施形態１から波長変換部２２０の設置数を変更したものを示す。なお、上記した実施形態１と同様の構造、作用及び効果について重複する説明は省略する。
【００６４】  本実施形態に係る波長変換部２２０は、図１５に示すように、導光板２１９の入光端面２１９ｂの長さ方向（Ｘ軸方向）に沿って２本が互いに隣り合う形で並んで配されている。２本の波長変換部２２０は、互いの軸線がほぼ一致する形で、ＬＥＤ２１７と導光板２１９との間の空間にてＸ軸方向に沿って直線的に並んで配置されている。このように２本の波長変換部２２０を用いるようにすれば、より大型のバックライト装置２１２に好適とされる。２本の波長変換部２２０における互いに隣り合うことがない一対の端側部分２２０ＥＰは、それぞれ封止部設置端側部分２２０ＥＰ１とされるとともに、バックライト装置２１２におけるＸ軸方向（入光端面２１９ｂにおける長さ方向）についての両外側（両端）に配されている。これに対し、２本の波長変換部２２０における互いに隣り合う一対の端側部分２２０ＥＰは、それぞれ封止部非設置端側部分２２０ＥＰ２とされるとともに、バックライト装置２１２におけるＸ軸方向についての中央側に配されている。また、ＬＥＤ基板２１８は、波長変換部２２０と同様に、入光端面２１９ｂの長さ方向に沿って２枚が隣り合う形で並んで配されている。各ＬＥＤ基板２１８は、その長さ寸法が各波長変換部２２０の長さ寸法と概ね同じ程度とされており、各波長変換部２２０に対して個別に対向する形で配置されている。従って、各ＬＥＤ基板２１８に実装された複数ずつのＬＥＤ２１７から発せられた光は、各ＬＥＤ基板２１８と対向する各波長変換部２２０に対してそれぞれ入射されるようになっている。
【００６５】  そして、ＬＥＤ制御部２３２に備えられる少発光量ＬＥＤ制御部２３２Ａは、図１６に示すように、２本の波長変換部２２０において互いに隣り合わない一対の端側部分２２０ＥＰである一対の封止部設置端側部分２２０ＥＰ１と対向状をなす一対の端側ＬＥＤ２１７Ｅにおける単位時間当たりの発光量が、中央側ＬＥＤ２１７Ｃにおける同発光量よりも少なくなるよう制御している。また、一対の端側ＬＥＤ２１７Ｅは、２本の波長変換部２２０の各封止部設置端側部分２２０ＥＰ１における各封止部２３１に対してＸ軸方向について部分的に重なり合うとともに、その重なり範囲が互いに等しくなっていることから、少発光量ＬＥＤ制御部２３２Ａは、一対の端側ＬＥＤ２１７Ｅにおける単位時間当たりの発光量が互いに等しくなるよう制御している。このような構成によれば、バックライト装置２１２の狭額縁化に伴って、導光板２１９の入光端面２１９ｂにおける長さ方向についての両端側において、それぞれ波長変換部２２０における蛍光体含有部２２９が配置されない領域である封止部２３１が端側ＬＥＤ２１７Ｅと重なり合う位置関係となっても、導光板２１９の入光端面２１９ｂに対する蛍光体により波長変換されない青色の光の入光量が少なくなる。これにより、狭額縁化が進行しても色ムラが生じ難いものとなっている。なお、少発光量ＬＥＤ制御部２３２Ａ及び多発光量ＬＥＤ制御部２３２Ｂにより制御される各ＬＥＤ２１７Ｃ，２１７Ｅにおける点灯期間及び消灯期間の関係は、上記した実施形態１の図１１と同様であるため、本実施形態では図示を省略する。
【００６６】  ＬＥＤ制御部２３２は、上記した実施形態１と同様に複数の中央側ＬＥＤ２１７Ｃにおける単位時間当たりの発光量が互いに等しくなるとともに、端側ＬＥＤ２１７Ｅの同発光量よりも多くなるよう制御している。ここで、本実施形態に係る複数の中央側ＬＥＤ２１７Ｃには、２本の波長変換部２２０において互いに隣り合う一対の端側部分２２０ＥＰである封止部非設置端側部分２２０ＥＰ２と対向状をなす２つの第１中央側ＬＥＤ２１７Ｃ１と、２本の波長変換部２２０における各中央側部分２２０ＣＰと対向状をなす２つ以上の第２中央側ＬＥＤ２１７Ｃ２と、が含まれている。なお、中央側ＬＥＤ２１７Ｃを区別する場合には、第１中央側ＬＥＤの符号に添え字「１」を、第２中央側ＬＥＤの符号に添え字「２」を付し、区別せずに総称する場合には、符号に添え字を付さないものとする。従って、ＬＥＤ制御部２３２は、２本の波長変換部２２０において互いに隣り合う一対の端側部分２２０ＥＰである封止部非設置端側部分２２０ＥＰ２と対向状をなす第１中央側ＬＥＤ２１７Ｃ１における単位時間当たりの発光量が、それ以外の第２中央側ＬＥＤ２１７Ｃ２における同発光量と等しくなるよう制御していることになる。このようにすれば、複数の中央側ＬＥＤ２１７Ｃに係る発光量の制御が簡単になるので、ＬＥＤ２１７とＬＥＤ制御部２３２とを電気的に接続する配線などの部材に係る構成が簡素化される。また、本実施形態では、第１中央側ＬＥＤ２１７Ｃ１は、２本の波長変換部２２０における各封止部非設置端側部分２２０ＥＰ２が有する各容器２３０の底部２３０ａに対してＸ軸方向について重なり合わない配置とされている。従って、第１中央側ＬＥＤ２１７Ｃ１における単位時間当たりの発光量が、第２中央側ＬＥＤ２１７Ｃ２の同発光量と同等であっても、２本の波長変換部２２０における各底部２３０ａを青色の光が透過し難くなっており、色ムラの発生が生じ難いものとなっている。
【００６７】  以上説明したように本実施形態によれば、波長変換部２２０は、並び方向に沿って複数が列をなす形で並んで配されており、ＬＥＤ制御部２３２は、複数の波長変換部２２０において互いに隣り合わない一対の端側部分２２０ＥＰである一対の封止部設置端側部分２２０ＥＰ１と対向状をなす複数の端側ＬＥＤ２１７Ｅに係る発光量が、中央側ＬＥＤ２１７Ｃに係る発光量よりも少なくなるよう制御する。当該バックライト装置２１２の狭額縁化が進行すると、導光板２１９の入光端面２１９ｂにおける長さ方向についての両端側において、それぞれ波長変換部２２０における蛍光体が配置されない領域が端側ＬＥＤ２１７Ｅと重なり合う位置関係となり易い。その点、ＬＥＤ制御部２３２は、複数の波長変換部２２０において互いに隣り合わない一対の端側部分２２０ＥＰである一対の封止部設置端側部分２２０ＥＰ１と対向状をなす複数の端側ＬＥＤ２１７Ｅに係る発光量が、中央側ＬＥＤ２１７Ｃに係る発光量よりも少なくなるよう制御するので、導光板２１９の入光端面２１９ｂにおける長さ方向についての両端側において、それぞれ波長変換部２２０における蛍光体が配置されない領域が端側ＬＥＤ２１７Ｅと重なり合う位置関係となっても、導光板２１９の入光端面２１９ｂに対する蛍光体により波長変換されない光の入光量が少なくなる。これにより、狭額縁化が進行しても色ムラが生じ難いものとなっている。
【００６８】  また、中央側ＬＥＤ２１７Ｃは、複数が並び方向に沿って並んで配されており、ＬＥＤ制御部２３２は、複数の波長変換部２２０において互いに隣り合う一対の端側部分２２０ＥＰと対向状をなす中央側ＬＥＤ２１７Ｃに係る発光量が、それ以外の中央側ＬＥＤ２１７Ｃに係る発光量と等しくなるよう制御する。このようにすれば、複数の中央側ＬＥＤ２１７Ｃに係る発光量の制御が簡単になるので、ＬＥＤ２１７とＬＥＤ制御部２３２とを電気的に接続する配線などの部材に係る構成が簡素化される。
【００６９】  ＜実施形態４＞  本発明の実施形態４を図１７または図１８によって説明する。この実施形態４では、上記した実施形態３から第１中央側ＬＥＤ３１７Ｃ１における単位時間当たりの発光量を変更したものを示す。なお、上記した実施形態３と同様の構造、作用及び効果について重複する説明は省略する。
【００７０】  本実施形態に係る中央側ＬＥＤ３１７Ｃは、図１７に示すように、２本の波長変換部３２０において互いに隣り合う一対の端側部分３２０ＥＰである各封止部非設置端側部分３２０ＥＰ２とそれぞれ対向状をなす一対の第１中央側ＬＥＤ３１７Ｃ１と、２本の波長変換部３２０における各中央側部分３２０ＣＰと対向状をなす複数の第２中央側ＬＥＤ３１７Ｃ２と、が含まれている。この一対の第１中央側ＬＥＤ３１７Ｃ１は、２本の波長変換部３２０における各封止部非設置端側部分３２０ＥＰ２のうち蛍光体含有部３２９が配置されない領域である容器３３０の底部３３０ａに対してそれぞれＸ軸方向について重なり合う配置とされる。一対の第１中央側ＬＥＤ３１７Ｃ１が２本の波長変換部３２０における各封止部非設置端側部分３２０ＥＰ２の各容器３３０の底部３３０ａに対してＸ軸方向について重なり合う範囲の積算値は、各端側ＬＥＤ３１７Ｅが波長変換部３２０における各封止部設置端側部分３２０ＥＰ１の各封止部３３１に対してＸ軸方向について重なり合う範囲よりも広くなっている。一対の第１中央側ＬＥＤ３１７Ｃ１は、２枚のＬＥＤ基板３１８において互いに隣り合う端部にそれぞれ配置されている。
【００７１】  このような配置構成において、ＬＥＤ制御部３３２は、図１８に示すように、一対の第１中央側ＬＥＤ３１７Ｃ１に接続されてその第１中央側ＬＥＤ３１７Ｃ１における単位時間当たりの発光量が最も少なくなるよう駆動を制御する第１少発光量ＬＥＤ制御部３３２Ａ１と、一対の端側ＬＥＤ３１７Ｅに接続されてそれら端側ＬＥＤ３１７Ｅにおける単位時間当たりの発光量が２番目に少なくなるよう駆動を制御する第２少発光量ＬＥＤ制御部（第２少発光量光源制御部）３３２Ａ２と、複数の第２中央側ＬＥＤ３１７Ｃ２に接続されてそれら複数の第２中央側ＬＥＤ３１７Ｃ２における単位時間当たりの発光量が最も多くなるよう駆動を制御する多発光量ＬＥＤ制御部３３２Ｂと、を備えている。つまり、このＬＥＤ制御部３３２には、少発光量ＬＥＤ制御部３３２Ａ１，３３２Ａ２が２つ備えられ、且つそれらによって制御される一対の端側ＬＥＤ３１７Ｅに係る単位時間当たりの発光量と、一対の第１中央側ＬＥＤ３１７Ｃ１に係る単位時間当たりの発光量と、が互いに異なっており、その大小関係は、２本の波長変換部３２０における蛍光体含有部３２９が配置されない領域に対する各ＬＥＤ３１７Ｃ１，３１７ＥのＸ軸方向についての重なり範囲の広さに対して逆相関の関係となるよう設定されている。これにより、２本の波長変換部３２０における各封止部設置端側部分３２０ＥＰ１を透過して導光板３１９の入光端面３１９ｂに達する光と、中央側部分３２０ＣＰを透過して入光端面３１９ｂに達する光と、各封止部非設置端側部分３２０ＥＰ２を透過して入光端面３１９ｂに達する光と、に色味の差が生じ難くなり、もって色ムラの発生がより好適に抑制される。なお、各少発光量ＬＥＤ制御部３３２Ａ１，３３２Ａ２及び多発光量ＬＥＤ制御部３３２Ｂにより制御される各ＬＥＤ３１７Ｃ１，３１７Ｃ２，３１７Ｅにおける点灯期間及び消灯期間の関係は、上記した実施形態２の図１４と同様であるため、本実施形態では図示を省略する。
【００７２】  以上説明したように本実施形態によれば、中央側ＬＥＤ３１７Ｃは、複数が並び方向に沿って並んで配されており、ＬＥＤ制御部３３２は、複数の波長変換部３２０において互いに隣り合う一対の端側部分３２０ＥＰである一対の封止部非設置端側部分３２０ＥＰ２と対向状をなす中央側ＬＥＤ３１７Ｃである第１中央側ＬＥＤ３１７Ｃ１に係る発光量が、それ以外の中央側ＬＥＤ３１７Ｃである第２中央側ＬＥＤ３１７Ｃ２に係る発光量よりも少なくなるよう制御する。各波長変換部３２０における長さ方向の両端縁に蛍光体が配置されない領域がそれぞれ生じると、複数の波長変換部３２０において互いに隣り合う一対の封止部非設置端側部分３２０ＥＰ２における各端縁が隣接する位置関係となるため、蛍光体が配置されない領域が広くなり、その領域と第１中央側ＬＥＤ３１７Ｃ１とが重なり合う位置関係となり易く、それに起因して第１中央側ＬＥＤ３１７Ｃ１からの光が蛍光体により波長変換されずに導光板３１９の入光端面３１９ｂにおける長さ方向の中央側部分に入射することが懸念される。そのような場合でも、ＬＥＤ制御部３３２は、複数の波長変換部３２０において互いに隣り合う一対の封止部非設置端側部分３２０ＥＰ２と対向状をなす第１中央側ＬＥＤ３１７Ｃ１に係る発光量が、それ以外の第２中央側ＬＥＤ３１７Ｃ２に係る発光量よりも少なくなるよう制御しているので、互いに隣り合う一対の封止部非設置端側部分３２０ＥＰ２と対向状をなす第１中央側ＬＥＤ３１７Ｃ１から同一対の封止部非設置端側部分３２０ＥＰ２に供給される光量が、それ以外の第２中央側ＬＥＤ３１７Ｃ２から中央側部分に供給される光量よりも少ないものとなる。従って、複数の波長変換部３２０において互いに隣り合う一対の封止部非設置端側部分３２０ＥＰ２における各端縁が互いに隣接し且つ第１中央側ＬＥＤ３１７Ｃ１と重なり合う位置関係となっても、互いに隣り合う一対の封止部非設置端側部分３２０ＥＰ２に第１中央側ＬＥＤ３１７Ｃ１から供給される光量が少なくされることで、蛍光体により波長変換されずに導光板３１９の入光端面３１９ｂに入射される光量も少なくなる。これにより、色ムラの発生をより好適に抑制することができる。
【００７３】  ＜実施形態５＞  本発明の実施形態５を図１９によって説明する。この実施形態５では、上記した実施形態１からＬＥＤ制御部によるＬＥＤの調光方法を変更したものを示す。なお、上記した実施形態１と同様の構造、作用及び効果について重複する説明は省略する。
【００７４】  本実施形態に係るＬＥＤ制御部は、図１９に示すように、複数のＬＥＤを定電流駆動するとともに、複数のＬＥＤに供給する電流値を異ならせることで単位時間当たりの発光量を制御するようにしている。具体的には、ＬＥＤ制御部を構成する多発光量ＬＥＤ制御部は、多発光量ＬＥＤ群に供給する定電流の電流値が相対的に高くなるよう多発光量ＬＥＤ群を駆動することで、多発光量ＬＥＤ群における単位時間当たりの発光量が相対的に多くなるよう制御している。これに対し、ＬＥＤ制御部を構成する少発光量ＬＥＤ制御部は、少発光量ＬＥＤに供給する定電流の電流値が相対的に低くなるよう少発光量ＬＥＤを駆動することで、少発光量ＬＥＤにおける単位時間当たりの発光量が相対的に少くなるよう制御している。このような構成によれば、各ＬＥＤにおける単位時間当たりの発光量を制御するに際して容易に低コスト化を図ることができる。また、上記発光量の制御に際してノイズが生じ難いものとなる。
【００７５】  以上説明したように本実施形態によれば、ＬＥＤ制御部は、複数のＬＥＤを定電流駆動するとともに、複数のＬＥＤに供給する電流値を異ならせることで単位時間当たりの発光量を制御する。このようにすれば、複数のＬＥＤにおける単位時間当たりの発光量を制御するに際して容易に低コスト化を図ることができる。また、上記発光量の制御に際してノイズが生じ難いものとなる。
【００７６】  ＜実施形態６＞  本発明の実施形態６を図２０から図２２によって説明する。この実施形態６では、上記した実施形態１に記載したものに波長変換部５２０の保持構造を追加したものを示す。なお、上記した実施形態１と同様の構造、作用及び効果について重複する説明は省略する。
【００７７】  本実施形態に係る波長変換部５２０は、図２０に示すように、バックライト装置５１２内においてＬＥＤ５１７と導光板５１９の入光端面５１９ｂとの間となる位置にてホルダ３５によって保持されている。ホルダ３５は、光の反射性に優れた白色を呈する合成樹脂製とされており、波長変換部５２０をほぼ全長にわたって取り囲む形で収容するよう略筒状をなしている。ホルダ３５は、波長変換部５２０をＺ軸方向について図２０に示す上下から挟み込む一対の第１壁部３５ａと、波長変換部５２０をＹ軸方向について図２０に示す左右（前後）から挟み込む一対の第２壁部３５ｂと、を有しており、これらの各壁部３５ａ，３５ｂによって波長変換部５２０をほぼ全長にわたって取り囲んで保持を図っている。
【００７８】  ホルダ３５を構成する一対の第２壁部３５ｂのうち、図２０に示す左側（ＬＥＤ基板５１８側）の第２壁部３５ｂには、図２０及び図２１に示すように、ＬＥＤ５１７を収容するＬＥＤ収容開口部３６が開口して設けられている。ＬＥＤ収容開口部３６は、ＬＥＤ基板５１８に実装された各ＬＥＤ５１７を個別に収容するよう、相互に独立した開口として第２壁部３５ｂに複数設けられている。ＬＥＤ収容開口部３６は、第２壁部３５ｂにおいてＸ軸方向に沿って複数（ＬＥＤ５１７と同数）が並んで設けられており、その配列間隔がＬＥＤ基板５１８における各ＬＥＤ５１７の配列間隔と一致している。このＬＥＤ収容開口部３６が設けられた第２壁部３５ｂは、その外面がＬＥＤ基板５１８における実装面５１８ａに接する形で固定されている。ＬＥＤ収容開口部３６に収容されたＬＥＤ５１７は、その発光面５１７ａが波長変換部５２０の入光面５２０ａにほぼ接する位置関係に保たれている。これにより、ＬＥＤ５１７の発光面５１７ａから発せられた光が波長変換部５２０の入光面５２０ａにより効率的に入射されるようになっている。
【００７９】  一方、ホルダ３５を構成する一対の第２壁部３５ｂのうち、図２０に示す右側（導光板５１９側）の第２壁部３５ｂには、図２０及び図２２に示すように、波長変換部５２０の出光面５２０ｂを出射した光を通して導光板５１９の入光端面５１９ｂに入射させるための透光開口部３７が開口して設けられている。透光開口部３７は、Ｘ軸方向に沿って延在する細長い開口として第２壁部３５ｂに設けられており、その形成範囲が全ＬＥＤ収容開口部３６の形成範囲を包含する大きさに設定されている。これにより、各ＬＥＤ５１７から発せられて波長変換部５２０を透過した光を効率的に導光板５１９の入光端面５１９ｂに入射させることができる。この透光開口部３７が設けられた第２壁部３５ｂは、その外面がＹ軸方向について導光板５１９の入光端面５１９ｂとの間に所定の間隔を空けて対向状に配置されている。従って、バックライト装置５１２内の温度環境が高温化し、それに伴って導光板５１９が熱膨張した場合には、熱膨張した導光板５１９が波長変換部５２０に干渉する手前の段階で透光開口部３７が設けられた第２壁部３５ｂに干渉することになる。つまり、透光開口部３７が設けられた第２壁部３５ｂによって熱膨張する導光板５１９の変位を規制することができるので、波長変換部５２０及びＬＥＤ５１７に導光板５１９からの応力が直接的に作用するのを防ぐことができる。
【００８０】  ＜実施形態７＞  本発明の実施形態７を図２３によって説明する。この実施形態７では、上記した実施形態１からＬＥＤ基板６１８及び波長変換部６２０の設置数を変更したものを示す。なお、上記した実施形態１と同様の構造、作用及び効果について重複する説明は省略する。
【００８１】  本実施形態に係るバックライト装置６１２では、図２３に示すように、ＬＥＤ６１７及びＬＥＤ基板６１８が、長辺側の両端部にそれぞれ配された構成となっている。詳しくは、一対のＬＥＤ基板６１８は、実装された各ＬＥＤ６１７が導光板６１９の外周端面のうちの一対の長辺側の端面のそれぞれと対向する形で配されている。従って、本実施形態では、導光板６１９の外周端面のうちの一対の長辺側の端面のそれぞれがＬＥＤ６１７からの光が入射される入光端面６１９ｂとされるのに対し、残りの一対の短辺側の端面が非入光端面６１９ｄとされる。従って、本実施形態に係る非入光端面６１９ｄには、上記した実施形態１のような非入光反対端面１９ｄ１（図３を参照）が含まれることがなく、入光端面６１９ｂに隣り合う一対の非入光側端面６１９ｄ２のみが含まれている。このように本実施形態に係るバックライト装置６１２は、導光板６１９がその短辺方向（Ｙ軸方向）についての両側から一対のＬＥＤ基板６１８及びそれらに実装された各ＬＥＤ６１７によって挟み込まれてなる、両側入光タイプとされている。
【００８２】  そして、波長変換部６２０は、各ＬＥＤ基板６１８と各入光端面６１９ｂとの間にそれぞれ介在する形で一対が配置されている。これにより、各ＬＥＤ基板６１８の各ＬＥＤ６１７から発せられた光は、各波長変換部６２０にて波長変換されて導光板６１９の各入光端面６１９ｂに入射されるようになっている。
【００８３】  ＜実施形態８＞  本発明の実施形態８を図２４によって説明する。この実施形態８では、上記した実施形態７からＬＥＤ基板７１８及び波長変換部７２０の設置数を変更したものを示す。なお、上記した実施形態７と同様の構造、作用及び効果について重複する説明は省略する。
【００８４】  本実施形態に係るバックライト装置７１２では、図２４に示すように、ＬＥＤ７１７及びＬＥＤ基板７１８が、長辺側の両端部と、一方（図２４に示す左側）の短辺側の端部と、にそれぞれ配された構成となっている。詳しくは、各ＬＥＤ基板７１８は、実装された各ＬＥＤ７１７が導光板７１９の外周端面のうちの一対の長辺側の端面及び一方の短辺側の端面のそれぞれと対向する形で配されている。従って、本実施形態では、導光板７１９の外周端面のうちの一対の長辺側の端面及び一方の短辺側の端面のそれぞれがＬＥＤ７１７からの光が入射される入光端面７１９ｂとされるのに対し、残りの他方の短辺側の端面が非入光端面７１９ｄとされる。従って、本実施形態に係る非入光端面７１９ｄは、短辺側の入光端面７１９ｂに対しては非入光反対端面７１９ｄ１となり且つ一対の長辺側の入光端面７１９ｂに対しては非入光側端面７１９ｄ２となっている。このように本実施形態に係るバックライト装置７１２は、導光板７１９がその３つの辺部に倣って配される３つのＬＥＤ基板７１８及びそれらに実装された各ＬＥＤ７１７から入光される、３辺入光タイプとされている。
【００８５】  そして、波長変換部７２０は、各ＬＥＤ基板７１８と各入光端面７１９ｂとの間にそれぞれ介在する形で３つが配置されている。これにより、各ＬＥＤ基板７１８の各ＬＥＤ７１７から発せられた光は、各波長変換部７２０にて波長変換されて導光板７１９の各入光端面７１９ｂに入射されるようになっている。
【００８６】  ＜実施形態９＞  本発明の実施形態９を図２５によって説明する。この実施形態９では、上記した実施形態７からＬＥＤ基板８１８及び波長変換部８２０の設置数を変更したものを示す。なお、上記した実施形態７と同様の構造、作用及び効果について重複する説明は省略する。
【００８７】  本実施形態に係るバックライト装置８１２では、図２５に示すように、ＬＥＤ８１７及びＬＥＤ基板８１８が、長辺側の両端部と、短辺側の両端部と、にそれぞれ配された構成、つまり外周側端部の全周にわたって配された構成となっている。詳しくは、各ＬＥＤ基板８１８は、実装された各ＬＥＤ８１７が導光板８１９の外周端面の全周にわたって対向する形で配されている。従って、本実施形態では、導光板８１９の外周端面が全周にわたってＬＥＤ８１７からの光が入射される入光端面８１９ｂとされており、導光板８１９の外周端面に非入光端面が有されない構成とされている。このように本実施形態に係るバックライト装置８１２は、導光板８１９がその４つの辺部に倣って配される４つのＬＥＤ基板８１８及びそれらに実装された各ＬＥＤ８１７から入光される、４辺入光タイプとされている。
【００８８】  そして、波長変換部８２０は、各ＬＥＤ基板８１８と各入光端面８１９ｂとの間にそれぞれ介在する形で４つが配置されている。これにより、各ＬＥＤ基板８１８の各ＬＥＤ８１７から発せられた光は、各波長変換部８２０にて波長変換されて導光板８１９の各入光端面８１９ｂに入射されるようになっている。
【００８９】  ＜実施形態１０＞  本発明の実施形態１０を図２６によって説明する。この実施形態１０では、上記した実施形態３からＬＥＤ基板９１８の設置数を変更したものを示す。なお、上記した実施形態３と同様の構造、作用及び効果について重複する説明は省略する。
【００９０】  本実施形態に係るＬＥＤ基板９１８は、図２６に示すように、導光板９１９の入光端面９１９ｂの長さ方向（Ｘ軸方向）に沿って３枚が互いに隣り合う形で並んで配されている。各ＬＥＤ基板９１８は、その長さ寸法が各主波長変換部９２０の長さ寸法よりも短いものとされている。このうち、Ｘ軸方向について両端に位置する一対のＬＥＤ基板９１８に実装された複数のＬＥＤ９１７の一部（バックライト装置９１２におけるＸ軸方向について端に位置する端側ＬＥＤ９１７Ｅ）は、各主波長変換部９２０における封止部設置端側部分９２０ＥＰ１とＸ軸方向について重なり合う配置とされる。これに対し、Ｘ軸方向について中央に位置するＬＥＤ基板９１８に実装された複数のＬＥＤ９１７の一部（バックライト装置９１２におけるＸ軸方向について中央に位置する第１中央側ＬＥＤ９１７Ｃ１）は、各主波長変換部９２０における封止部非設置端側部分９２０ＥＰ２とＸ軸方向について重なり合う配置とされる。このような構成によれば、より大型（例えば７０型以上）のバックライト装置９１２に好適とされる。
【００９１】  ＜実施形態１１＞  本発明の実施形態１１を図２７〜図３２を参照しつつ説明する。本実施形態の液晶表示装置９９１０は、実施形態１と同様、全体的には、左右方向に長く延びた横長の矩形状をなしている。また、液晶表示装置９９１０は、図２７に示されるように、主として、表示パネルとして利用される液晶パネル９９１１と、液晶パネル９９１１に対して光を供給する外部光源としての照明装置（バックライト装置）９９１２と、液晶パネル９９１１及び照明装置９９１２等を保持する枠状のベゼル９９１３等を備えている。なお、液晶パネルの構成は実施形態１と同様のため説明を省略する。
【００９２】  照明装置９９１２についても、概略構成は実施形態１と同様で、シャーシ９９１４、光学部材９９１５、フレーム９９１６、ＬＥＤ９９１７、ＬＥＤ基板９９１８、導光板９９１９、反射シート９９２０、蛍光体チューブ９９３０等を備えている。このうち、蛍光体チューブ９９３０以外の構成については特に説明のない限り実施形態１と同様の構成として説明を省略する。
【００９３】  導光板９９１９は、表面９９１９ａが液晶パネル９９１１と対向し、裏面９９１９ｂが反射シート９９２０と対向する形で、シャーシ９９１４内に収容されている。導光板９９１９の表面９９１９ａは、液晶パネル９９１１側に向けて光を出射する光出射面９９１９ａとなっている。光出射面９９１９ａと液晶パネル９９１１との間には、光学部材９９１５がフレーム９９１６に支持された状態で配される。また、導光板９９１９の一方の長辺側端面９９１９ｃは、ＬＥＤ９９１７からの光が蛍光体チューブ９９３０越しに入射される光入射面９９１９ｃとなっている。なお、導光板９９１９の他方の長辺側端面９９１９ｄ、導光板９９１９の２つの短辺側端面９９１９ｅ，９９１９ｆは、ＬＥＤ９９１７と光源（ＬＥＤ９９１７）と対向していないため、それらを「光源非対向面」と称する場合がある。特に、光入射面９９１９ｃの反対側にある光源非対向面（長辺側端面９９１９ｄ）を、「反対側光源非対向面」と称する場合がある。
【００９４】  ＬＥＤ９９１７は、導光板９９１９の光入射面９９１９ｃに向けて蛍光体チューブ９９３０越しに光を照射する光源として利用される。ＬＥＤ９９１７は、所謂、頂面発光型であり、複数個の物が利用される。複数個のＬＥＤ９９１７は、互いに間隔を保ちつつ列状に並んだ状態で、ＬＥＤ基板９９１８上に実装されている。なお、本明細書において、複数個のＬＥＤ９９１７が列状に並んだものを、ＬＥＤ列（光源列の一例）９９１７０と称する。図２８は、表面側から見た状態のＬＥＤ列９９１７０、蛍光体チューブ９９３０及び導光板９９１９の配置関係を模式的に表した平面図である。図２８に示されるように、ＬＥＤ列９９１７０を構成する複数個のＬＥＤ９９１７が、導光板９９１９の光入射面（長辺側端面）９９１９ｃに沿うように配設されている。本実施形態の場合、隣り合ったＬＥＤ９９１７同士の間隔は、一定に設定されている。なお、後述するように、ＬＥＤ列９９１７０と導光板９９１９の光入射面９９１９ｃとの間に蛍光体チューブ９９３０が配設されている。
【００９５】  ＬＥＤ９９１７としては、互いに出射する光の色が異なる２種類の物が利用される。具体的には、ＬＥＤ９９１７として、発光面９９１７Ａａから青色光を出射するＬＥＤ（基準色光源の一例）９９１７Ａと、発光面９９１７Ｂａから白色光を出射するＬＥＤ（混色光源の一例）９９１７Ｂとが利用される。なお、本明細書において、ＬＥＤ９９１７Ａ等のＬＥＤ９９１７から発せられ、蛍光体チューブ９９３０が備える蛍光体（第１の蛍光体）を励起するための光（本実施形態の場合、青色光）を、一次光と称する。ＬＥＤ（混色光源の一例）９９１７Ｂは、青色光を出射すると共に、青色と補色の関係にある黄色を呈する光（つまり、黄色光）を出射するように構成されている。このようなＬＥＤ９９１７Ｂは、青色光と共に、黄色光（補色光の一例）を出射することで、結果的にそれらが混色した白色光を出射する。青色光（一次光）を出射するＬＥＤ９９１７Ａは、図２８に示されるように、ＬＥＤ列９９１７０の中央側に複数個の物が列状に配され、また、白色光を出射するＬＥＤ９９１７Ｂは、ＬＥＤ列９９１７０の両端にそれぞれ１つずつ配されている。なお、ＬＥＤ９９１７（ＬＥＤ９９１７Ａ，９９１７Ｂ）の詳細は、後述する。
【００９６】  図２９は、蛍光体チューブ９９３０の平面図である。蛍光体チューブ（波長変換部材）９９３０は、全体的には、長手状をなしており、複数個のＬＥＤ９９１７が一列に並ぶ方向（本実施形態の場合、導光板１９の長辺方向）に沿うように、ＬＥＤ９９１７の発光面９９１７ａと導光板９９１９の光入射面９９１９ｃとの間の隙間に配設されている。蛍光体チューブ９９３０は、ＬＥＤ９９１７からの光の一部を、光入射面９９１９ｃ側にそのまま透過させると共に、ＬＥＤ９９１７からの光の一部を吸収してその光を他の波長領域の光に変換して放出する機能を備えている。蛍光体チューブ９９３０の長手方向の長さは、ＬＥＤ列９９１７０の長さよりも短くなるように設定されている。また、蛍光体チューブ９９３０の長手方向の長さは、光入射面９９１９ｃの長手方向（長辺方向）の長さよりも短くなるように設定されている。蛍光体チューブ９９３０は、量子ドット蛍光体（蛍光体の一例）を含有する波長変換部（第１の波長変換部）９９３１と、波長変換部９９３１を包囲する形で収容しつつ光透過性を有する長手状の収容部９９３２とを備えている。
【００９７】  波長変換部９９３１は、ＬＥＤ９９１７から出射された一次光（本実施形態の場合、青色光）を、一次光の波長領域とは異なる他の波長領域に含まれる二次光（本実施形態の場合、緑色光及び赤色光）に変換して放出する機能を備えている。波長変換部９９３１に入射された一次光のうち、波長変換部９９３１中に含まれる量子ドット蛍光体を励起したものが二次光に波長変換され、量子ドット蛍光体を励起しなかった一次光は、そのまま波長変換部９９３１を透過することになる。波長変換部９９３１は、例えば、量子ドット蛍光体が添加された樹脂の硬化物からなる。量子ドット蛍光体が添加される樹脂としては、例えば、透明な紫外線硬化型樹脂が挙げられる。なお、本実施形態の波長変換部９９３１は、長手状の収容部９９３２に収容された状態で、収容部９９３２の長手方向に沿って延びた形をなしている。
【００９８】  量子ドット蛍光体は、優れた量子効率を有する蛍光体であり、ナノサイズ（例えば、直径２ｎｍ〜１０ｎｍ程度）の半導体結晶中に、電子・正孔や励起子を三次元空間全方位で閉じ込めることで、離散的エネルギー準位を有し、そのドットのサイズを変えることで発光光のピーク波長（発光色）等を自由に選択することができる。本実施形態の場合、波長変換部９９３１中には、量子ドット蛍光体として、緑色光（約５００ｎｍ〜約５７０ｎｍの波長領域）を発光する緑色量子ドット蛍光体と、赤色光（約６００ｎｍ〜約７８０ｎｍの波長領域）を発光する赤色量子ドット蛍光体とが配合される。緑色量子ドット蛍光体及び赤色量子ドット蛍光体から発せられる緑色光の発光スペクトル及び赤色光の発光スペクトルは、それぞれシャープなピークを有しており、それらの半値幅が狭くなることから、緑色光及び赤色光の各純度は、極めて高くなり、それらの色域も広くなる。
【００９９】  緑色量子ドット蛍光体は、ＬＥＤ９９１７からの光（青色光、一次光）を吸収して励起し、緑色光（約５００ｎｍ〜約５７０ｎｍの波長領域）を放出する。つまり、緑色量子ドット蛍光体は、ＬＥＤ９９１７からの光（青色光、一次光）を、波長領域の異なる他の光（緑色光、二次光）に変換する機能を備えている。赤色量子ドット蛍光体は、ＬＥＤ９９１７からの光（青色光、一次光）を吸収して励起し、赤色光（約６００ｎｍ〜約７８０ｎｍの波長領域）を放出する。つまり、赤色量子ドット蛍光体は、ＬＥＤ９９１７からの光（青色光、一次光）を、波長領域の異なる他の光（赤色光、二次光）に変換する機能を備えている。量子ドット蛍光体に用いられる材料としては、２価の陽イオンになり得るＺｎ、Ｃｄ、Ｐｂ等と、２価の陰イオンになり得るＯ、Ｓ、Ｓｅ、Ｔｅ等とを組み合わせた材料（例えば、セレン化カドミウム（ＣｄＣｅ）、硫化亜鉛（ＺｎＳ）等）、３価の陽イオンとなり得るＧａ、Ｉｎ等と３価の陰イオンとなり得るＰ、Ａｓ、Ｓｂ等とを組み合わせた材料（例えば、リン化インジウム（ＩｎＰ）、ヒ化ガリウム（ＧａＡｓ）等）、更にはカルコパイライト型化合物（ＣｕＩｎＳｅ２等）等が挙げられる。本実施形態では、量子ドット蛍光体の材料の一例として、ＣｄＳｅが用いられる。
【０１００】  本実施形態において、量子ドット蛍光体（緑色量子ドット蛍光体、及び赤色量子ドット蛍光体）は、波長変換部９９３１を構成する樹脂中に、略均一となるように分散配合される。なお、波長変換部９９３１中には、散乱剤等の他の成分が含まれてもよい。収容部９９３２は、全体的には長手状をなしており、波長変換部９９３１を収容した状態で両端が閉塞された光透過性を有する筒体からなる。収容部９９３２としては、例えば、一方の端部が開口しかつ他方の端部が閉塞したガラス製の筒体（例えば、ガラス管）を、内側に波長変換部９９３１を収容させた状態で、前記一方の端部を閉塞したものからなる。収容部９９３２は、波長変換部９９３１を取り囲む透明な筒状の壁からなり、内側に波長変換部９９３１を収容する空間を有する長手状の筒状本体部９９３３と、筒状本体部９９３３の長手方向の両端を閉塞（封止）する封止端部（非波長変換部）９９３４，９９３５とからなる。なお、封止端部（非波長変換部）９９３４，９９３５は、収容部９９３２の長手方向の各端部であり、また蛍光体チューブ９９３０の各端部でもある。
【０１０１】  蛍光体チューブ９９３０は、例えば、量子ドット蛍光体を、流動性を有する未硬化の紫外線硬化型樹脂に添加・混合し、得られた混合物を、ガラス管に入れてガラス管の開口端を封止（閉塞）した後、紫外線を照射してガラス管内の樹脂を硬化させることにより製造される。蛍光体チューブ９９３０は、図示されない保持部材を利用しつつ、シャーシ９９１４の底板９９１４ａと、フレーム９９１６の枠本体部９９１６１との間で挟み込まれる形で、ＬＥＤ９９１７（ＬＥＤ列９９１７０）と光入射面９９１９ｃとの間の所定位置に固定されている。
【０１０２】  ＬＥＤ列９９１７０のうち、各ＬＥＤ９９１７Ａは、発光面９９１７Ａａが収容部９９３２に収容された波長変換部９９３１と対向するように、照明装置９９１２内に設置されている。そして、各ＬＥＤ９９１７Ａは、ＬＥＤ９９１７の光出射方向（ＬＥＤ９９１７の光軸方向Ｌ）において、波長変換部９９３１越しに、光入射面９９１９ｃと重なるように設定されている。
【０１０３】  蛍光体チューブ９９３０の長手方向の両端部９９３４，９９３５は、光透過性を有する部材（例えば、ガラス）のみからなり、波長変換機能を備えていない。このような蛍光体チューブ９９３０の両端部９９３４，９９３５は、光入射面９９１９ｃの外側にはみ出さないように、ＬＥＤ９９１７の光出射方向（ＬＥＤ９９１７の光軸方向Ｌ）において、光入射面９９１９ｃと重なるように配設されている。そして、ＬＥＤ列９９１７０の両端に配される各ＬＥＤ９９１７Ｂは、発光面９９１７Ｂａの一部がそれぞれ各端部（非波長変換部）９９３４，９９３５と対向すると共に、発光面９９１７Ｂａの残りの部分が、導光板９９１９の光入射面９９１９ｃと直接対向するように、照明装置９９１２内に設置されている。
【０１０４】  ＬＥＤ列９９１７０の中央側に配されている各ＬＥＤ９９１７Ａは、主として、蛍光体チューブ９９３０の中央側部分（波長変換部３１を含む部分）に向けて光を出射する。そして、波長変換部９９３１は、主として、各ＬＥＤ９９１７Ａから出射された一次光（青色光）を、二次光（緑色光及び赤色光）に波長変換する。各ＬＥＤ９９１７Ａから出射された一次光の一部は、波長変換部９９３１で二次光に波長変換されつつ後方側（ＬＥＤ９９１７側）から前方側（導光板９９１９側）へ蛍光体チューブ９９３０を透過する。また、各ＬＥＤ９９１７Ａから出射された一次光の他の一部は、一次光のまま後方側（ＬＥＤ９９１７側）から前方側（導光板９９１９側）へ蛍光体チューブ９９３０を透過する。このように各ＬＥＤ９９１７Ａから出射された一次光が、部分的に波長変換されつつ蛍光体チューブ９９３０を後方側（ＬＥＤ９９１７側）から前方側（導光板９９１９側）へ透過すると、蛍光体チューブ９９３０の中央側部分（波長変換部９９３１を含む部分）からは、主として一次光及び二次光を含む白色の透過光が導光板９９１９の光入射面９９１９ｃ側に出射される。
【０１０５】  図３０は、青色光を出射するＬＥＤ９９１７Ａ付近における液晶表示装置９９１０の拡大断面図である。図３０には、図２８に示されるＢ−Ｂ線に対応する部分の断面図が示されている。図３０に示されるように、ＬＥＤ９９１７Ａは、発光面（光出射部）９９１７Ａａが蛍光体チューブ９９３０の波長変換部９９３１と対向しつつ、蛍光体チューブ９９３０越しに導光板９９１９の光入射面９９１９ｃと対向するように、扁平な板状のＬＥＤ基板９９１８の実装面９９１８ａ上に実装されている。
【０１０６】  ＬＥＤ（基準色光源の一例）９９１７Ａは、発光源であるチップ状の青色ＬＥＤ素子（青色発光素子）と、その青色ＬＥＤ素子を封止する透明な封止材と、青色ＬＥＤ素子及び封止材を収容する略箱型のケース部とを備えており、青色光を発光するように構成されている。なお、青色ＬＥＤ素子は、例えば、ＩｎＧａＮ等からなる半導体であり、順方向に電圧が印加されることで、青色光の波長領域（約４２０ｎｍ〜約５００ｎｍ）に含まれる光（つまり、青色光）を出射する。
【０１０７】  これに対し、ＬＥＤ列９９１７０の両端に配されている各ＬＥＤ９９１７Ｂは、主として、蛍光体チューブ９９３０の各端部９９３４，９９３５に向けて光を出射する。各ＬＥＤ９９１７Ｂから出射された白色光の一部は、波長変換機能を備えていない蛍光体チューブ９９３０の各端部９９３４，９９３５を透過して、そのまま光入射面９９１９ｃ側に出射される。そのため、蛍光体チューブ９９３０の各端部９９３４，９９３５からは、蛍光体チューブ９９３０の中央側部分（波長変換部９９３１を含む部分）と同様、白色光が光入射面９９１９ｃ側に出射される。なお、各ＬＥＤ９９１７Ｂから出射された白色光の一部が、波長変換部９９３１に入射された場合、白色光中の青色光（一次光）の一部が、波長変換部９９３１中の量子ドット蛍光体を励起して二次光に波長変換される。また、各ＬＥＤ９９１７Ｂから出射された白色光の一部は、直接、導光板９９１９の光入射面９９１９ｃに供給される。
【０１０８】  図３１は、白色光を出射するＬＥＤ９９１７Ｂ付近における液晶表示装置９９１０の拡大断面図である。図３１には、図２８に示されるＣ−Ｃ線に対応する部分の断面図が示されている。図３１に示されるように、ＬＥＤ９９１７Ｂは、発光面９９１７Ｂａの一部が波長変換機能を備えていない、蛍光体チューブ９９３０の端部（非波長変換部）９９３４と対向しつつ、蛍光体チューブ９９３０越しに導光板９９１９の光入射面９９１９ｃと対向するように、扁平な板状のＬＥＤ基板９９１８の実装面９９１８ａ上に実装されている。
【０１０９】  本実施形態のＬＥＤ９９１７Ｂは、上述のＬＥＤ９９１７Ａからなる本体部（一次光光源の一例）９９７１の表面（発光面（光出射部）９９１７Ａａを含む）を覆うように、黄色を呈する波長変換部（第２の波長変換部の一例）９９７２を前記表面に形成したものからなる。波長変換部９９７２は、黄色を呈する蛍光体（第２の蛍光体の一例）を、アクリル樹脂等の透明なバインダ樹脂に分散させてなる塗膜からなる。波長変換部９９７２は、前記蛍光体として、例えば、ＳｒＧａ２Ｓ４：Ｅｕ２＋等からなる緑色蛍光体（第２の緑色蛍光体の一例）と、（Ｃａ，Ｓｒ，Ｂａ）Ｓ：Ｅｕ２＋等からなる赤色蛍光体（第２の赤色蛍光体の一例）とを含む。
【０１１０】  ＬＥＤ９９１７Ｂの本体部９９７１（一次光光源）からは、ＬＥＤ９９１７Ａと同様、一次光である青色光（波長領域：約４２０ｎｍ〜約５００ｎｍ）が出射される。本体部９９７１から出射された青色光のうち、一部の青色光は、波長変換部９９７２中の蛍光体により、波長変換されて、黄色光（補色光）として出射され、残りの青色光は、そのまま青色光として波長変換部９９７２を透過する。
【０１１１】  波長変換部９９７２中の緑色蛍光体は、本体部９９７１からの青色光（一次光）を吸収して励起し、緑色光（約５００ｎｍ〜約５７０ｎｍの波長領域）を放出する。また、波長変換部９９７２中の赤色蛍光体は、本体部９９７１からの青色光（一次光）を吸収して励起し、赤色光（約６００ｎｍ〜約７８０ｎｍの波長領域）を放出する。つまり、波長変換部９９７２は、本体部９９７１からの青色光を吸収すると、緑色光と赤色光とが混ざり合った黄色光を放出することになる。このようにＬＥＤ９９１７Ｂは、青色光と共に、黄色光を放出するため、結果的に、青色光と黄色光とが混ざり合った白色光（白味を帯びた光の一例）を出射することになる。
【０１１２】  図３２は、裏面側から見た状態のＬＥＤ列９９１７０と導光板９９１９との配置関係を模式的に表した平面図である。図３２に示されるように、導光板９９１９の裏面９９１９ｂには、各々が光反射性及び散乱性を有する複数のドット部９９２２ａの集まりからなる光反射・散乱パターン９９２２が形成されている。各ドット部９９２２ａは、略円形状の白色の塗膜からなり、導光板９９１９の裏面９９１９ｂに対して、印刷技術等の公知の方法により形成されている。光反射・散乱パターン９９２２において、ＬＥＤ９９１７の近く（つまり、光入射面９９１９ｃの近く）では、ドット部９９２２ａの大きさが小さく、かつドット部９９２２ａが形成される密度（単位面積あたりの密度）が低くなり、ＬＥＤ９９１７から遠ざかるにつれて、ドット部９９２２ａの大きさが大きく、かつドット部９９２２ａが形成される密度（単位面積あたりの密度）が高くなるように設定されている。導光板９９１９の光入射面９９１９ｃより入射された光が、ドット部９９２２ａに当たると、ドット部９９２２ａより反射又は散乱されて、光出射面９９１９ａから出射される。
【０１１３】  以上のような照明装置９９１２において、ＬＥＤ列９９１７０を構成する各ＬＥＤ９９１７に対して、電力が供給されると、各ＬＥＤ９９１７が点灯し、各ＬＥＤ９９１７より出射された光が、光入射面９９１９ｃより導光板９９１９内に入射する。その際、波長変換部９９３１を含む部分の蛍光体チューブ９９３０からは、各ＬＥＤ９９１７Ａからの青色光を受けて、白色光が出射される。これに対し、蛍光体チューブ９９３０の両端部９９３４，９９３５からも、各ＬＥＤ９９１７Ｂからの白色光を受けて、白色光が出射される。その結果、導光板９９１９内には、全体的に白色光が供給されるため、光出射面９９１９ａからは白色の面光が出射される。
【０１１４】  仮に、ＬＥＤ列９９１７０をすべてＬＥＤ９９１７Ａで構成した場合、蛍光体チューブ９９３０の各端部９９３４，９９３５から、ＬＥＤ９９１７Ａの光出射方向に沿ってそれぞれ直線的に延びた導光板９９１９の部分に、各端部９９３４，９９３５を透過等する等して青色光が供給され、光出射面９９１９ａからは、部分的に一次光の色彩（青色）で色付いた面光（部分的に青みを帯びた面光）が出射されてしまう。しかしながら、本実施形態の照明装置９９１２では、波長変換機能を備えていない各端部９９３４，９９３５に対して主に光を供給するＬＥＤ９９１７について、予め白色光を出射するＬＥＤ９９１７Ｂを用いることで、出射光（面光）が一次光の色彩（青色）で色付くことが抑制されている。
【０１１５】  また、本実施形態では、ＬＥＤ９９１７Ａと同種のものを、ＬＥＤ９９１７Ｂの本体部（一次光光源）９９７１として利用している。そのため、本実施形態の照明装置９９１２では、ＬＥＤ９９１７Ｂの本体部（一次光光源）９９７１と、ＬＥＤ（基準色光源）９９１７Ａとを共通化でき、生産性に優れ、また、各ＬＥＤ９９１７の点灯制御を行い易い等の利点を有している。また、本実施形態では、ＬＥＤ９９１７Ｂとして、本体部（一次光光源）９９７１と、塗膜からなる波長変換部９９７２とからなるものが利用されている。そのため、本体部（一次光光源）９９７１に形成する塗膜の厚みや、蛍光体の含有量等を調節することで、波長変換部９９７２における波長変換機能を容易に調節することができる。また、本実施形態では、ＬＥＤ（混色光源）９９１７Ｂは、部分的に端部（非波長変換部）９９３４，９９３５と対向せず、光入射面９９１９ｃと直接対向し、ＬＥＤ（混色光源）９９１７Ｂから出射される光の一部が、光入射面９９１９ｃに直接入射される構成となっている。また、本実施形態では、蛍光体チューブ（波長変換部材）９９３０の少なくとも一方の端部（波長変換部）が、ＬＥＤ列（光源列）９９１７０の端部よりも内側寄りに配される構成となっている。
【０１１６】  また、本実施形態では、蛍光体チューブ（波長変換部材）９９３０が、ＬＥＤ列（光源列）９９１７０よりも長手方向の長さが短く設定されており、蛍光体チューブ（波長変換部材）９９３０の両端部９９３４，９９３５が、ＬＥＤ列（光源列）９９１７０の両端部９９３４，９９３５よりもそれぞれ内側寄りに配されている。そのため、蛍光体チューブ（波長変換部材）９９３０が長手方向に多少位置ずれした場合であっても、両端部９９３４，９９３５に対して、白色光を出射するＬＥＤ９９１７Ｂを確実に割り当てることができる。
【０１１７】  ＜実施形態１２＞  次いで、本発明の実施形態１２を、図３３を参照しつつ説明する。本実施形態では、上記実施形態１１のＬＥＤ列９９１７０を、ＬＥＤ列９９１７０Ａに代えつつ、蛍光体チューブ９９３０を、２つの蛍光体チューブ９９３０Ａ１，９９３０Ａ２に代えた照明装置９９１２Ａについて説明する。なお、本実施形態の照明装置の基本的な構成は、上記実施形態１１と同様である。そのため、実施形態１１と同じ構成については、実施形態１１と同じ符号を付し、その詳細説明は省略する。
【０１１８】  図３３は、実施形態１２の照明装置で利用されるＬＥＤ列９９１７０Ａ、蛍光体チューブ９９３０Ａ１，Ａ２及び導光板９９１９の配置関係を模式的に表した平面図である。本実施形態の場合、上記実施形態１１とは異なり、２本（複数）の蛍光体チューブ９９３０Ａ１，９９３０Ａ２が利用される。そして、それらの蛍光体チューブ９９３０Ａ１，９９３０Ａ２は、一列に並べられた状態で利用される。なお、各蛍光体チューブ９９３０Ａ１，９９３０Ａ２は、長手方向における長さが、上記実施形態１１の蛍光体チューブ９９３０よりも、短く設定されているものの、基本的な構成は上記実施形態１１の蛍光体チューブ９９３０と同様であり、それぞれ波長変換部９９３１Ａ１，９９３１Ａ２、収容部９９３２Ａ１，９９３２Ａ２を備えている。また、各収容部９９３２Ａ１，９９３２Ａ２は、それぞれ筒状本体部９９３３Ａ１，９９３３Ａ２、封止端部（非波長変換部９９３４Ａ１，９９３５Ａ１，９９３４Ａ２，９９３５Ａ２）を備えている。
【０１１９】  ２本の蛍光体チューブ９９３０Ａ１，９９３０Ａ２は、導光板の光入射面９９１９ｃと、ＬＥＤ列９９１７０Ａとの間に配されている。図３３において、一方の蛍光体チューブ９９３０Ａ１は、導光板９９１９の左端面（短辺側端面）９９１９ｅ側寄りに配され、他方の蛍光体チューブ９９３０Ａ２は、導光板９９１９の右端面（短辺側端面）９９１９ｆ側寄りに配されている。
【０１２０】  蛍光体チューブ９９３０Ａ１の左側の端部９９３４Ａ１は、光入射面９９１９ｃからはみ出さないように、左端面９９１９ｅよりも内側寄りに配された状態で、光入射面９９１９ｃと対向している。また、蛍光体チューブ９９３０Ａ１の右側の端部９９３５Ａ１は、光入射面９９１９ｃの中央側に配された状態で、光入射面９９１９ｃと対向している。また、蛍光体チューブ９９３０Ａ２の右側の端部９９３５Ａ２は、光入射面９９１９ｃからはみ出さないように、右端面９９１９ｆよりも内側寄りに配された状態で、光入射面９９１９ｃと対向している。また、蛍光体チューブ９９３０Ａ２の左側の端部９９３５Ａ２は、光入射面９９１９ｃの中央側に配された状態で、光入射面９９１９ｃと対向している。蛍光体チューブ９９３０Ａ１，９９３０Ａ２は、ＬＥＤ列９９１７０Ａよりも長手方向の長さが短く設定されている。各蛍光体チューブ９９３０Ａ１，９９３０Ａ２の各両端部９９３４Ａ１，９９３５Ａ１，９９３４Ａ２，９９３５Ａ２は、ＬＥＤ列９９１７０Ａの両端部よりもそれぞれ内側寄りに配されている。
【０１２１】  本実施形態のＬＥＤ列９９１７０Ａは、実施形態１１と同様、複数のＬＥＤ９９１７が列状に並んだ状態でＬＥＤ基板９９１８に実装されており、その両端に、それぞれ１つずつ白色光を出射するＬＥＤ９９１７Ｂが配置されている。そして更に、本実施形態では、ＬＥＤ列９９１７０の中央側に、白色光を出射するＬＥＤ９９１７Ｂが２つ配設されている。なお、青色光を出射するＬＥＤ９９１７は、ＬＥＤ列９９１７０の右端側のＬＥＤ９９１７Ｂと中央側のＬＥＤ９９１７Ｂとの間、及びＬＥＤ列９９１７０の左端側のＬＥＤ９９１７Ｂと中央側のＬＥＤ９９１７Ｂとの間に、それぞれ複数個配されている。
【０１２２】  ＬＥＤ列９９１７０Ａの左端に配されるＬＥＤ９９１７Ｂは、蛍光体チューブ９９３０Ａ１の左側の端部９９３４Ａ１と対向している。ただし、前記ＬＥＤ９９１７Ｂは、左側が部分的に端部９９３４Ａ１と対向せず、光入射面９９１９ｃと直接対向し、ＬＥＤ（混色光源）９９１７Ｂから出射される光の一部が、光入射面９９１９ｃに直接入射される構成となっている。また、ＬＥＤ列９９１７０Ａの右端に配されるＬＥＤ９９１７Ｂは、蛍光体チューブ９９３０Ａ２の右側の端部９９３５Ａ２と対向している。ただし、前記ＬＥＤ９９１７Ｂは、右側が部分的に端部９９３５Ａ２と対向せず、光入射面９９１９ｃと直接対向し、ＬＥＤ（混色光源）９９１７Ｂから出射される光の一部が、光入射面９９１９ｃに直接入射される構成となっている。
【０１２３】  また、ＬＥＤ列９９１７０Ａの中央側に配される２つのＬＥＤ９９１７Ｂのうち、左側に配される一方のＬＥＤ９９１７Ｂは、蛍光体チューブ９９３０Ａ１の右側の端部９９３５Ａ１と対向している。ただし、前記ＬＥＤ９９１７Ｂは、右側が部分的に端部９９３５Ａ１と対向せず、光入射面９９１９ｃと直接対向し、ＬＥＤ（混色光源）９９１７Ｂから出射される光の一部が、光入射面９９１９ｃに直接入射される構成となっている。また、ＬＥＤ列９９１７０Ａの中央側に配される２つのＬＥＤ９９１７Ｂのうち、右側に配される他方のＬＥＤ９９１７Ｂは、蛍光体チューブ９９３０Ａ２の左側の端部９９３４Ａ２と対向している。ただし、前記ＬＥＤ９９１７Ｂは、左側が部分的に端部９９３４Ａ２と対向せず、光入射面９９１９ｃと直接対向し、ＬＥＤ（混色光源）９９１７Ｂから出射される光の一部が、光入射面９９１９ｃに直接入射される構成となっている。また、ＬＥＤ列９９１７０Ａのうち、各ＬＥＤ９９１７Ａは、蛍光体チューブ９９３０Ａ１，９９３０Ａ２の波長変換部９９３１Ａ１，９９３１Ａ２と対向するように配されている。また、各ＬＥＤ９９１７Ａは、ＬＥＤ９９１７の光出射方向において、光入射面９９１９ｃと重なるように配されている。
【０１２４】  以上のような照明装置において、ＬＥＤ列９９１７０Ａを構成する各ＬＥＤ９９１７（ＬＥＤ９９１７Ａ，ＬＥＤ９９１７Ｂ）に対して、電力が供給されると、各ＬＥＤ９９１７が点灯し、各ＬＥＤ９９１７より出射された光が、光入射面９９１９ｃより導光板９９１９内に入射する。その際、波長変換部９９３１Ａ１，９９３１Ａ２を含む部分の各蛍光体チューブ９９３０Ａ１，９９３０Ａ２からは、各ＬＥＤ９９１７Ａからの青色光を受けて、白色光が出射される。これに対し、蛍光体チューブ９９３０の両端部９９３４Ａ１，９９３５Ａ１，９９３４Ａ２，９９３５Ａ２からも、各ＬＥＤ９９１７Ｂからの白色光を受けて、白色光が出射される。その結果、導光板９９１９内には、全体的に白色光が供給されるため、光出射面９９１９ａからは白色の面光が出射される。
【０１２５】  仮に、ＬＥＤ列９９１７０ＡをすべてＬＥＤ９９１７Ａで構成した場合、各蛍光体チューブ９９３０Ａ１，Ａ２の各端部９９３４Ａ１，９９３５Ａ１，９９３４Ａ２，９９３５Ａ２から、ＬＥＤ９９１７Ａの光出射方向に沿ってそれぞれ直線的に延びた導光板９９１９の部分に、各端部９９３４Ａ１，９９３５Ａ１，９９３４Ａ２，９９３５Ａ２を透過等する等して青色光が供給される。つまり、本実施形態において、ＬＥＤ列９９１７０ＡをすべてＬＥＤ９９１７Ａで構成した場合、導光板９９１９の左端側、右端側に沿って青色光が供給されるのみならず、導光板９９１９の中央を横切るようにも青色光が供給されることになり、光出射面９９１９ａからは、部分的に一次光の色彩（青色）で色付いた面光（部分的に青みを帯びた面光）が出射されてしまう。しかしながら、本実施形態の照明装置では、波長変換機能を備えていない各端部９９３４Ａ１，９９３５Ａ１，９９３４Ａ２，９９３５Ａ２に対して主に光を供給するＬＥＤ９９１７について、予め白色光を出射するＬＥＤ９９１７Ｂを用いることで、出射光（面光）が一次光の色彩（青色）で色付くことが抑制されている。
【０１２６】  ＜実施形態１３＞  次いで、本発明の実施形態１３を、図３４及び図３５等を参照しつつ説明する。図３４は、実施形態１３に係る液晶表示装置９９１０Ｂの光入射面９９１９ｃ付近の拡大断面図であり、図３５は、ホルダの正面図である。本実施形態の液晶表示装置９９１０Ｂで利用される照明装置９９１２Ｂは、長手状のホルダ９９６０によって保持された蛍光体チューブ９９３０Ｂを備えている。なお、蛍光体チューブ９９３０Ｂ自体の構成は、上記実施形態１１のものと同様であり、波長変換部９９３１Ｂ、収容部９９３２Ｂ等を備えている。
【０１２７】  本実施形態の蛍光体チューブ（波長変換部材）９９３０Ｂは、図３４に示されるように、ＬＥＤ９９１７と導光板９９１９の光入射面９９１９ｃとの間の隙間に、ホルダ９９６０によって保持された状態で配置されている。ホルダ９９６０は、全体的には、長手状をなした部材であり、光反射性に優れた白色を呈する合成樹脂の成形品からなる。ホルダ９９６０は、蛍光体チューブ９９３０Ｂのうち、波長変換部を内包する部分を、略全長に亘って上下方向（表裏方向）から挟み込むような断面略Ｃ字状の形をなしている。ホルダ９９６０は、蛍光体チューブ９９３０Ｂを上下方向から挟み込む一対の表側保持壁部９９６１及び裏側保持壁部９９６２と、上下方向（表裏方向）で表側保持壁部９９６１と裏側保持壁部９９６２とを繋ぐと共に、蛍光体チューブ９９３０ＢよりもＬＥＤ９９１７側（ＬＥＤ基板９９１８側）に配される連結壁部９９６３とを備えている。なお、ホルダ９９６０は、蛍光体チューブ９９３０Ｂを上下方向から挟持した状態で、導光板９９１９の光入射面９９１９ｃ側に開放した形をなしている。
【０１２８】  本実施形態の場合、表側保持壁部９９６１が枠本体部９９１６１と当接し、かつ裏側保持壁部９９６２が底板９９１４ａ上に載せられた状態で、フレーム９９１６とシャーシ９９１４の底板９９１４ａとの間で挟まれている。連結壁部９９６３は、シャーシ９９１４内で上下方向に沿って起立しつつ、複数個のＬＥＤ９９１７が一列に並ぶ方向に沿って延びた形をなしている。また、連結壁部９９６３には、各ＬＥＤ９９１７を光入射面９９１９ｃ側に露出させるための複数の開口部９９６４が形成されている。なお、連結壁部９９６３は、シャーシ９９１４内において、各開口部９９６４から各ＬＥＤ９９１７を露出させた状態で、ＬＥＤ基板９９１８の実装面９９１８ａ上に宛がわれた状態となっている。蛍光体チューブ９９３０Ｂは、このようなホルダ９９６０によって保持された状態で、シャーシ９９１４の底板９９１４ａに対して図示されない固定手段により固定されている。なお、本実施形態の場合、図３４に示されるように、ＬＥＤ９９１７の発光面９９１７ａは、蛍光体チューブ９９３０Ｂの収容部９９３２の壁面に対して密着されている。本実施形態のように、ホルダ９９６０を利用して蛍光体チューブ９９３０Ｂを、シャーシ９９１４内の所定個所に配設してもよい。このようなホルダ９９６０を利用すれば、蛍光体チューブ９９３０Ｂを、適宜、所定個所に配置し易い。
【０１２９】  ＜他の実施形態＞  本発明は上記記述及び図面によって説明した実施形態に限定されるものではなく、例えば次のような実施形態も本発明の技術的範囲に含まれる。  （１）上記した各実施形態では、Ｘ軸方向に沿って並ぶ複数のＬＥＤのうち、最も端に位置する１つずつのＬＥＤを端側ＬＥＤとした場合を示したが、最も端に位置するＬＥＤと、端から２番目に位置するＬＥＤと、をそれぞれ端側ＬＥＤとすることも可能である。その場合、最も端に位置する端側ＬＥＤと、端から２番目に位置するＬＥＤと、で単位時間当たりの発光量を異ならせることもできるが、等しくなるようにすることも可能である。また、Ｘ軸方向に沿って並ぶ複数のＬＥＤのうち、端から数えて３つ以上のＬＥＤをそれぞれ端側ＬＥＤとすることも可能である。なお、中央側ＬＥＤの設置数についても適宜に変更可能である。  （２）上記した実施形態２では、第１端側ＬＥＤと第２端側ＬＥＤとで単位時間当たりの発光量を異ならせた場合を示したが、第１端側ＬＥＤと第２端側ＬＥＤとにおける単位時間当たりの発光量を等しくすることも可能である。また、第２端側ＬＥＤが第１端側ＬＥＤよりも単位時間当たりの発光量が少なくなるようにしてもよい。  （３）上記した実施形態３では、第１中央側ＬＥＤが２つとされた場合を示したが、第１中央側ＬＥＤが３つ以上であってもよい。  （４）上記した実施形態４では、第１中央側ＬＥＤが１つとされた場合を示したが、第１中央側ＬＥＤが２つ以上であってもよい。  （５）上記した実施形態４では、第１中央側ＬＥＤと端側ＬＥＤとで単位時間当たりの発光量を異ならせた場合を示したが、第１中央側ＬＥＤと端側ＬＥＤとにおける単位時間当たりの発光量を等しくすることも可能である。また、端側ＬＥＤが第１中央側ＬＥＤよりも単位時間当たりの発光量が少なくなるようにしてもよい。  （６）上記した実施形態３，４，１０では、導光板の入光端面の長さ方向に沿って波長変換部が２本並ぶ構成を例示したが、同長さ方向に沿って波長変換部が３本以上並ぶ構成であっても構わない。また、上記した実施形態３，４，１０では、導光板の入光端面の長さ方向に沿ってＬＥＤ基板が２枚または３枚並ぶ構成を例示したが、同長さ方向に沿ってＬＥＤ基板が４枚以上並ぶ構成であっても構わない。  （７）上記した実施形態５に記載した各ＬＥＤの制御方法を、実施形態２〜４に記載した構成に組み合わせることも可能である。  （８）上記した実施形態６に記載した波長変換部の保持構造を、実施形態２〜４に記載した構成に組み合わせることも可能である。  （９）上記した実施形態２〜６に記載した構成を、実施形態７〜９に適宜に組み合わせることも可能である。
【０１３０】  （１０）上記した各実施形態では、ＬＥＤが青色ＬＥＤ素子を備える構成を示したが、青色ＬＥＤ素子に代えて可視光線である紫色の光を発する紫色ＬＥＤ素子を備えたＬＥＤや紫外線（例えば近紫外線）を発する紫外線ＬＥＤ素子（近紫外線ＬＥＤ素子）などを用いることも可能である。紫色ＬＥＤ素子または紫外線ＬＥＤ素子を備えるＬＥＤに組み合わせて用いられる波長変換部には、赤色蛍光体、緑色蛍光体及び青色蛍光体を含有させるのが好ましいものとされる。それ以外にも、紫色ＬＥＤ素子または紫外線ＬＥＤ素子を備えるＬＥＤに組み合わせて用いられる波長変換部には、赤色蛍光体、緑色蛍光体及び青色蛍光体の中から選択される１色または２色の蛍光体を含有させ、残りの２色または１色の蛍光体をＬＥＤの封止材に含有させるようにしてもよい。また、これら以外にも具体的な蛍光体の色などは適宜に変更可能である。  （１１）上記した各実施形態では、ＬＥＤが青色ＬＥＤ素子を有し、波長変換部が緑色蛍光体及び赤色蛍光体を有する構成を例示したが、ＬＥＤが青色ＬＥＤ素子に加えて赤色の光を発する赤色ＬＥＤ素子を有することでマゼンタ色の光を発する構成とし、それに組み合わせて用いられる波長変換部が緑色蛍光体を有する構成とすることも可能である。この赤色ＬＥＤ素子に代えて、ＬＥＤの封止材に青色の光を励起光として赤色の光を発する赤色蛍光体を含有させるようにしても構わない。  （１２）上記した（１１）以外にも、ＬＥＤが青色ＬＥＤ素子に加えて緑色の光を発する緑色ＬＥＤ素子を有することでシアン色の光を発する構成とし、それに組み合わせて用いられる波長変換部が赤色蛍光体を有する構成とすることも可能である。この緑色ＬＥＤ素子に代えて、ＬＥＤの封止材に青色の光を励起光として緑色の光を発する緑色蛍光体を含有させるようにしても構わない。  （１３）上記した各実施形態では、波長変換部が緑色蛍光体及び赤色蛍光体を含む構成とされる場合を示したが、波長変換部に黄色蛍光体のみを含ませた構成としたり、黄色蛍光体に加えて赤色蛍光体や緑色蛍光体を含ませた構成としたりすることも可能である。  （１４）上記した各実施形態では、波長変換部に含まれる蛍光体として用いた量子ドット蛍光体をＣｄＳｅ及びＺｎＳからなるコア・シェル型とした場合を例示したが、内部組成を単一組成としたコア型量子ドット蛍光体を用いることも可能である。例えば、２価の陽イオンになるＺｎ、Ｃｄ、Ｈｇ、Ｐｂ等と２価の陰イオンになるＯ、Ｓ、Ｓｅ、Ｔｅ等とを組み合わせた材料（ＣｄＳｅ、ＣｄＳ、ＺｎＳ）を単独で用いることが可能である。さらには、３価の陽イオンとなるＧａ、Ｉｎ等と３価の陰イオンとなるＰ、Ａｓ、Ｓｂ等とを組み合わせた材料（ＩｎＰ（リン化インジウム）、ＧａＡｓ（ヒ化ガリウム）等）やカルコパイライト型化合物（ＣｕＩｎＳｅ2等）などを単独で用いることも可能である。また、コア・シェル型やコア型の量子ドット蛍光体以外にも、合金型の量子ドット蛍光体を用いることも可能である。また、カドミウムを含有しない量子ドット蛍光体を用いることも可能である。  （１５）上記した各実施形態では、波長変換部に含まれる蛍光体として用いた量子ドット蛍光体をＣｄＳｅ及びＺｎＳのコア��シェル型とした場合を例示したが、他の材料同士を組み合わせてなるコア・シェル型の量子ドット蛍光体を用いることも可能である。また、波長変換部に含まれる蛍光体として用いた量子ドット蛍光体を、Ｃｄ（カドミウム）を含有しない量子ドット蛍光体とすることも可能である。  （１６）上記した各実施形態では、波長変換部に量子ドット蛍光体を含有させた構成のものを例示したが、他の種類の蛍光体を波長変換部に含有させるようにしても構わない。例えば、波長変換部に含有させる蛍光体として硫化物蛍光体を用いることができ、具体的には緑色蛍光体としてＳｒＧａ2Ｓ4：Ｅｕ2+を、赤色蛍光体として（Ｃａ，Ｓｒ，Ｂａ）Ｓ：Ｅｕ2+を、それぞれ用いることが可能である。  （１７）上記した（１６）以外にも、波長変換部に含有させる緑色蛍光体を、(Ｃａ，Ｓｒ，Ｂａ) 3ＳｉＯ4：Ｅｕ2+、β−ＳｉＡｌＯＮ：Ｅｕ2+、Ｃａ3Ｓｃ2Ｓｉ3Ｏ12：Ｃｅ3+などとすることができる。また、波長変換部に含有させる赤色蛍光体を、(Ｃａ，Ｓｒ，Ｂａ) 2ＳｉＯ5Ｎ8：Ｅｕ2+、ＣａＡｌＳｉＮ3：Ｅｕ2+、複フッ化物蛍光体（マンガン付活のケイフッ化カリウム（Ｋ2ＴｉＦ6）など）などとすることができる。さらには、波長変換部に含有させる黄色蛍光体を、(Ｙ，Ｇｄ) 3 (Ａｌ，Ｇａ) 5Ｏ12：Ｃｅ3+（通称 ＹＡＧ：Ｃｅ3+）、α−ＳｉＡｌＯＮ：Ｅｕ2+、(Ｃａ，Ｓｒ，Ｂａ) 3ＳｉＯ4：Ｅｕ2+などとすることができる。  （１８）上記した（１６），（１７）以外にも、波長変換部に含有させる蛍光体として有機蛍光体を用いることができる。有機蛍光体としては、例えばトリアゾールまたはオキサジアゾールを基本骨格とした低分子の有機蛍光体を用いることができる。  （１９）上記した（１６），（１７），（１８）以外にも、波長変換部に含有させる蛍光体としてドレスト光子（近接場光）を介したエネルギー移動によって波長変換を行う蛍光体を用いることも可能である。この種の蛍光体としては、具体的には、直径３ｎｍ〜５ｎｍ（好ましくは４ｎｍ程度）の酸化亜鉛量子ドット（ＺｎＯ−ＱＤ）にＤＣＭ色素を分散・混合させた構成の蛍光体を用いるのが好ましい。  （２０）上記した各実施形態では、ＬＥＤを構成する青色ＬＥＤ素子の材料としてＩｎＧａＮを用いた場合を示したが、他のＬＥＤ素子の材料として、例えばＧａＮ、ＡｌＧａＮ、ＧａＰ、ＺｎＳｅ、ＺｎＯ、ＡｌＧａＩｎＰなどを用いることも可能である。
【符号の説明】
【０１３１】  １０...液晶表示装置（表示装置）、１０ＴＶ...テレビ受信装置、１１...液晶パネル（表示パネル）、１２，１１２，２１２，５１２，６１２，７１２，８１２，９１２...バックライト装置（照明装置）、１１７，２１７，５１７，６１７，７１７，８１７，９１７...ＬＥＤ（光源）、１７Ｃ，１１７Ｃ，２１７Ｃ，３１７Ｃ...中央側ＬＥＤ（中央側光源）、１７Ｅ，１１７Ｅ，２１７Ｅ，３１７Ｅ，９１７Ｅ...端側ＬＥＤ（端側光源）、１９，１１９，２１９，３１９，５１９，６１９，７１９，８１９，９１９...導光板、１９ａ...出光板面、１９ｂ，１１９ｂ，２１９ｂ，３１９ｂ，５１９ｂ，６１９ｂ，７１９ｂ，８１９ｂ，９１９ｂ...入光端面、２０，１２０，２２０，３２０，５２０，６２０，７２０，８２０，９２０...波長変換部、２０ＥＰ，２２０ＥＰ，３２０ＥＰ...端側部分、２０ＥＰ１，１２０ＥＰ１，２２０ＥＰ１，３２０ＥＰ１，９２０ＥＰ１...封止部設置端側部分、２０ＥＰ２，１２０ＥＰ２，２２０ＥＰ２，３２０ＥＰ２，９２０ＥＰ２...封止部非設置端側部分、２９，１２９，２２９...蛍光体含有部（蛍光体）、３１，１３１，２３１，３３１...封止部、３２，１３２，２３２，３３２...ＬＥＤ制御部（光源制御部）
【図１】
2017051852.tif 000003
【図２】
2017051852.tif 000004
【図３】
2017051852.tif 000005
【図４】
2017051852.tif 000006
【図５】
2017051852.tif 000007
【図６】
2017051852.tif 000008
【図７】
2017051852.tif 000009
【図８】
2017051852.tif 000010
【図９】
2017051852.tif 000011
【図１０】
2017051852.tif 000012
【図１１】
2017051852.tif 000013
【図１２】
2017051852.tif 000014
【図１３】
2017051852.tif 000015
【図１４】
2017051852.tif 000016
【図１５】
2017051852.tif 000017
【図１６】
2017051852.tif 000018
【図１７】
2017051852.tif 000019
【図１８】
2017051852.tif 000020
【図１９】
2017051852.tif 000021
【図２０】
2017051852.tif 000022
【図２１】
2017051852.tif 000023
【図２２】
2017051852.tif 000024
【図２３】
2017051852.tif 000025
【図２４】
2017051852.tif 000026
【図２５】
2017051852.tif 000027
【図２６】
2017051852.tif 000028
【図２７】
2017051852.tif 000029
【図２８】
2017051852.tif 000030
【図２９】
2017051852.tif 000031
【図３０】
2017051852.tif 000032
【図３１】
2017051852.tif 000033
【図３２】
2017051852.tif 000034
【図３３】
2017051852.tif 000035
【図３４】
2017051852.tif 000036
【図３５】
2017051852.tif 000037
【国際調査報告】
2017051852.tif 000038
2017051852.tif 000039
2017051852.tif 000040
2017051852.tif 000041